(57)【要約】  地下ボールトの内側に設置するための、プロセッサとセンサとを含むシステム。センサは、ボールトの内側でパラメータを監視し、監視信号をプロセッサに送信する。監視信号に基づいて、プロセッサは、記憶のためのメモリにデータを、及び／またはボールト内部に位置する外部装置に伝送するためのインターフェースに制御信号を提供し得る。制御信号は、外部装置に、ボールトの内側の環境を変更するよう命令する。センサは、ハウジングの内側であるエンクロージャの内側に位置付けられ得る。空気移動装置は、空気をエンクロージャの内外に移動させ、それによって、センサがパラメータを監視する前に、ボールトからの空気をエンクロージャ内に引き込む。発熱要素は、ハウジングの内側に位置付けられ得、熱を生成したときに水分がその内部で凝縮されることを防止する。本システムは、ボールトの内側の電源から電力を引き出す電力ユニットを含み得る。
2019518885.tif 000002
【特許請求の範囲】
【請求項１】
地下ボールトの内側に設置するための監視システムであって、前記監視システムが、
少なくとも１つのアパーチャを備えるハウジングと、
前記ハウジングの内側に位置付けられたプロセッサと、
前記プロセッサに接続されたメモリであって、前記メモリが、前記プロセッサから受信されたデータを記憶するように構成されたメモリと、
前記地下ボールトの内側で少なくとも１つのパラメータの値を監視し、前記プロセッサに監視信号を送信するように動作可能な少なくとも１つのセンサであって、前記プロセッサが、前記監視信号を受信し、前記監視信号に少なくとも部分的に基づいて、前記メモリに前記データを提供するように構成された、少なくとも１つのセンサと、
前記ハウジングの内側に位置付けられたエンクロージャであって、前記少なくとも１つのセンサが、前記エンクロージャの内側に位置付けられ、前記エンクロージャが、前記少なくとも１つのアパーチャと流体連通している入口を備える、エンクロージャと、
前記少なくとも１つのセンサが前記少なくとも１つのパラメータの前記値を取得する前に起動されるように構成された空気移動装置であって、前記空気移動装置が、起動されると、空気を前記エンクロージャの内外に移動させ、それによって、前記入口及び前記少なくとも１つのアパーチャを通して、前記地下ボールトの内側からボールト空気を引き込み、前記エンクロージャ内の中に入れる、空気移動装置と、を備える、監視システム。
【請求項２】
前記プロセッサが、前記エンクロージャの外側に位置付けられ、前記プロセッサを前記ボールト空気から保護する、請求項１に記載の監視システム。
【請求項３】
前記空気移動装置が、所定の期間にわたって起動された状態を維持するように構成され、
前記所定の期間が、前記空気移動装置が前記エンクロージャの内側の空気を前記ボールト空気と交換するのに十分であり、
前記空気移動装置が、前記所定の期間後、停止されるように構成されている、請求項１または２に記載の監視システム。
【請求項４】
前記プロセッサが、前記空気移動装置を起動し、かつ停止するように構成されている、請求項３に記載の監視システム。
【請求項５】
前記入口に、またはその付近に位置付けられたフィルタであって、前記フィルタが、前記ボールト空気が前記エンクロージャに進入する前に、前記ボールト空気をろ過する、フィルタをさらに備える、請求項１から４のいずれか１項に記載の監視システム。
【請求項６】
前記エンクロージャ及び前記ハウジングのうちの少なくとも１つを備える少なくとも１つの構造の内側に位置付けられた１つ以上の発熱要素であって、前記１つ以上の発熱要素が、水分が前記少なくとも１つの構造の内側に凝縮することを防止することを助ける、１つ以上の発熱要素をさらに備える、請求項１から５のいずれか１項に記載の監視システム。
【請求項７】
前記入口から、前記少なくとも１つのアパーチャを通って、前記地下ボールトの中に延びる導管であって、前記導管が、前記ボールト空気を前記地下ボールトから前記エンクロージャの中に導く、導管をさらに備える、請求項１から６のいずれか１項に記載の監視システム。
【請求項８】
前記導管が、前記ボールト空気が前記エンクロージャに進入する前に、前記ボールト空気をろ過するように構成されたフィルタをさらに備える、請求項７に記載の監視システム。
【請求項９】
前記導管が、前記地下ボールトの底付近に位置付けられた遠位端を有し、
前記導管が、前記遠位端に、またはその付近に各々形成された複数の開口を有する、請求項８に記載の監視システム。
【請求項１０】
前記地下ボールトの内側に位置する電源から電力を引き出し、前記電力を、前記プロセッサ、前記空気移動装置、及び前記少なくとも１つのセンサに提供するように構成された電力ユニットをさらに備える、請求項１から９のいずれか１項に記載の監視システム。
【請求項１１】
前記プロセッサに接続された通信インターフェースであって、前記通信インターフェースが、前記プロセッサから受信されたデータ信号を少なくとも１つの外部装置に伝送するように構成された、通信インターフェースをさらに備える、請求項１から１０のいずれか１項に記載の監視システム。
【請求項１２】
前記少なくとも１つの外部装置が、マンホールイベント抑止システムであり、
前記データ信号が、前記マンホールイベント抑止システムに、前記地下ボールトの内側の内部環境を変更するように命令する命令を含む、請求項１１に記載の監視システム。
【請求項１３】
前記ハウジングが、前記ハウジングの内部の内側に空気を閉じ込めるように構成され、
前記エンクロージャが、前記内部の内側に位置付けられ、
前記少なくとも１つのアパーチャが、前記ハウジングの下側部分に形成され、
前記内部の内側に閉じ込められた前記空気が、水が前記少なくとも１つのアパーチャを通って前記内部に進入することを防止する、請求項１から１２のいずれか１項に記載の監視システム。
【請求項１４】
地下ボールトの内側に設置するための監視システムであって、前記監視システムが、
ハウジングと、
前記ハウジングの内側に位置付けられたプロセッサと、
前記プロセッサに接続されたメモリであって、前記メモリが、前記プロセッサから受信されたデータを記憶するように構成されたメモリと、
前記地下ボールトの内側の少なくとも１つのパラメータの値を監視し、前記プロセッサに監視信号を送信するように動作可能な少なくとも１つのセンサであって、前記プロセッサが、前記監視信号を受信し、前記監視信号に少なくとも部分的に基づいて、前記メモリに前記データを提供するように構成された、少なくとも１つのセンサと、
前記ハウジングの内側に位置付けられた１つ以上の発熱要素であって、前記１つ以上の発熱要素が、前記１つ以上の発熱要素が熱を生成しているときに水分が前記ハウジングの内側で凝縮することを防止するように構成された、発熱要素と、を備える、監視システム。
【請求項１５】
前記プロセッサに接続された通信インターフェースであって、前記通信インターフェースが、前記プロセッサから受信されたデータ信号を少なくとも１つの外部装置に伝送するように構成された、通信インターフェースをさらに備える、請求項１４に記載の監視システム。
【請求項１６】
前記少なくとも１つの外部装置が、マンホールイベント抑止システムであり、
前記データ信号が、前記マンホールイベント抑止システムに、前記地下ボールトの内側の内部環境を変更するように命令する命令を含む、請求項１５に記載の監視システム。
【請求項１７】
前記１つ以上の発熱要素が、電力供給されると、前記ハウジングの内側で水分が凝縮することを防止するのに十分な熱を前記ハウジングの内側に生成する少なくとも１つの抵抗器を備える、請求項１６に記載の監視システム。
【請求項１８】
前記地下ボールトの内側に位置する電源から電力を引き出し、前記電力を、前記プロセッサ、前記少なくとも１つのセンサ、及び前記１つ以上の発熱要素に提供するように構成された電力ユニットをさらに備える、請求項１４から１７のいずれか１項に記載の監視システム。
【請求項１９】
前記ハウジングが、前記ハウジングの内部の内側に空気を閉じ込めるように構成され、
前記ハウジングが、前記ハウジングの下側部分に形成された少なくとも１つのアパーチャを有し、
前記少なくとも１つのアパーチャが、前記地下ボールトと流体連通し、
前記１つ以上の発熱要素が、前記内部の内側に位置付けられ、
前記内部の内側に閉じ込められた前記空気が、水が前記少なくとも１つのアパーチャを通って前記内部に進入することを防止する、請求項１４から１８のいずれか１項に記載の監視システム。
【請求項２０】
地下ボールトの内側に設置するための制御システムであって、前記制御システムが、
プロセッサと、
前記プロセッサから制御信号を受信し、前記地下ボールト内に位置する少なくとも１つの外部装置に前記制御信号を伝送するように構成されたインターフェースであって、前記制御信号が、前記少なくとも１つの外部装置に、前記地下ボールトの内側の内部環境を変更するように命令する、インターフェースと、
前記地下ボールトの内側の少なくとも１つのパラメータの値を監視し、前記プロセッサに監視信号を送信するように動作可能な少なくとも１つのセンサであって、前記プロセッサが、前記監視信号を受信し、前記監視信号に少なくとも部分的に基づいて、前記インターフェースに前記制御信号を提供するように構成された、センサと、
前記地下ボールトの内側に位置する電源から電力を引き出し、前記電力を、前記プロセッサ、前記インターフェース、及び前記少なくとも１つのセンサに提供するように構成された電力ユニットと、を備える、制御システム。
【請求項２１】
スプライスを有する電気ケーブルを備える前記地下ボールトとともに使用するための制御システムであって、前記電力ユニットが、前記地下ボールトの内側の前記スプライスに接続され、
前記電力ユニットが、前記スプライスを介して前記電気ケーブルから電力を受信する、請求項２０に記載の制御システム。
【請求項２２】
前記電力ユニットが、ケーブルによって前記電源に接続され、
前記電源が、前記地下ボールトの内側に位置する標準的な壁コンセントであり、
前記ケーブルが、前記標準的な壁コンセントの中に差し込まれるように構成されたプラグを含む、請求項２０または２１に記載の制御システム。
【請求項２３】
前記制御システムが、少なくとも１５年間にわたって前記地下ボールトの内側に継続的に留まり、前記少なくとも１５年間にわたって前記電源から電力を引き出すように構成されている、請求項２０から２２のいずれか１項に記載の制御システム。
【請求項２４】
前記プロセッサが、前記監視信号を使用して、前記制御システムが、前記制御システムの寿命をもたせるためにいつスリープモードに入るべきであるかを判断するように構成されている、請求項２３に記載の制御システム。
【請求項２５】
前記少なくとも１つのセンサが、前記少なくとも１つのパラメータの前記値をあるサンプリングレートで監視するように動作可能であり、
前記プロセッサが、前記監視信号に基づいて、前記サンプリングレートを変更するように構成されている、請求項２０から２４のいずれか１項に記載の制御システム。
【請求項２６】
前記少なくとも１つのセンサが、前記少なくとも１つのパラメータの前記値をあるサンプリングレートで監視するように動作可能であり、
前記プロセッサが、前記地下ボールトの外側に位置する装置、及び前記地下ボールト内に位置する前記少なくとも１つの外部装置のうちの少なくとも１つから受信された情報に基づいて、前記サンプリングレートを変更するように構成されている、請求項２０から２５のいずれか１項に記載の制御システム。
【請求項２７】
前記少なくとも１つの外部装置が、マンホールイベント抑止システム及び電気システム機器のうちの少なくとも１つを含む、請求項２０から２６のいずれか１項に記載の制御システム。
【請求項２８】
ネットワークに接続されたネットワークインターフェースであって、前記ネットワークインターフェースが、前記ネットワークを介して外部コマンドを受信し、前記プロセッサに前記外部コマンドを提供するように構成され、前記プロセッサが、前記外部コマンドに基づいて、前記少なくとも１つの外部装置を動作させるように構成された、ネットワークインターフェースをさらに備える、請求項２０から２７のいずれか１項に記載の制御システム。
【請求項２９】
前記ネットワークが、複数の地下ボールトに設置された複数のマンホールイベント抑止システムを備え、
前記少なくとも１つの外部装置が、ローカルマンホールイベント抑止システムを含み、
前記プロセッサが、前記ネットワークインターフェースを介して、前記複数のマンホールイベント抑止システムのうちの１つ以上から情報を受信し、前記複数の地下ボールトのうちの１つ以上で生じるイベントまたは測定値に基づいて、前記ローカルマンホールイベント抑止システムの動作を調整する、請求項２８に記載の制御システム。
【請求項３０】
前記地下ボールト、前記地下ボールトを通って延びるケーブルシステムの少なくとも１つのケーブル、または前記少なくとも１つの外部装置を撮像するか、またはこれらの動画をキャプチャするように構成されたカメラをさらに備える、請求項２０から２９のいずれか１項に記載の制御システム。
【請求項３１】
前記少なくとも１つのセンサが、酸素センサ、一酸化炭素センサ、二酸化炭素センサ、水素センサ、硫化水素センサ、メタンセンサ、及び炭化水素センサのうちの少なくとも１つを含む、請求項２０から３０のいずれか１項に記載の制御システム。
【請求項３２】
ハウジングをさらに備え、
前記ハウジングは、前記ハウジングの内部の内側に空気を閉じ込めるように構成され、前記プロセッサが、前記内部の内側に位置付けられ、前記ハウジングが、前記ハウジングの下側部分に形成された少なくとも１つのアパーチャを有し、前記少なくとも１つのアパーチャが、前記地下ボールトと流体連通し、前記内部の内側に閉じ込められた前記空気が、水が前記少なくとも１つのアパーチャを通って前記内部に進入することを防止する、請求項２０から３１のいずれか１項に記載の制御システム。
【請求項３３】
前記少なくとも１つのセンサが、前記内部の内側に位置付けられ、
前記少なくとも１つのセンサが、酸素センサ、一酸化炭素センサ、二酸化炭素センサ、メタンセンサ、温度センサ、及び湿度センサを含む複数のセンサを備える、請求項３２に記載の制御システム。
【請求項３４】
前記複数のセンサが、硫化水素センサをさらに備える、請求項３３に記載の制御システム。
【請求項３５】
前記ハウジングの内側に位置付けられたエンクロージャであって、前記少なくとも１つのセンサが、前記エンクロージャの内側に位置付けられ、前記エンクロージャが、前記少なくとも１つのアパーチャと流体連通している入口を備える、エンクロージャと、
空気を前記エンクロージャの内外に移動させ、それによって、前記入口及び前記少なくとも１つのアパーチャを通して、前記地下ボールトの内側からボールト空気を引き込み、前記エンクロージャの中に入れるように位置付けられた空気移動装置であって、前記プロセッサが、前記少なくとも１つのセンサが前記少なくとも１つのパラメータの前記値を取得し、前記監視信号を前記プロセッサに送信する前に、前記空気移動装置を起動するように構成された、空気移動装置と、をさらに備える、請求項３２に記載の制御システム。
【請求項３６】
前記入口に、またはその付近に位置付けられたフィルタであって、前記フィルタが、前記ボールト空気が前記エンクロージャに進入する前に、前記ボールト空気をろ過する、フィルタをさらに備える、請求項３５に記載の制御システム。
【請求項３７】
前記電力ユニットによって電力供給される１つ以上の発熱要素であって、前記１つ以上の発熱要素が、前記エンクロージャ及び前記ハウジングのうちの少なくとも１つを備える少なくとも１つの構造の内側に位置付けられ、前記１つ以上の発熱要素が、水分が前記少なくとも１つの構造の内側で凝縮することを防止することを助ける、発熱要素をさらに備える、請求項３５に記載の制御システム。
【請求項３８】
前記入口から、前記少なくとも１つのアパーチャを通って、前記地下ボールトの中に延びる導管であって、前記導管が、前記ボールト空気を前記地下ボールトから前記エンクロージャの中に導く、導管をさらに備える、請求項３５に記載の制御システム。
【請求項３９】
前記導管が、前記地下ボールトの底付近に位置付けられた遠位端を有し、
前記導管が、前記遠位端に、またはその付近に各々形成された複数の開口を有する、請求項３８に記載の制御システム。
【請求項４０】
前記少なくとも１つのセンサが、放電活動または部分放電活動を監視するように構成され、部分放電センサ、無線周波数センサ、超音波センサ、磁界センサ、及び過渡接地電圧センサのうちの少なくとも１つを含む、請求項２０から３９のいずれか１項に記載の制御システム。
【請求項４１】
前記地下ボールトを通って延びるケーブルシステムの少なくとも１つの電気ケーブルとともに使用するための制御システムであって、前記少なくとも１つのセンサが、電圧センサ及び電流センサのうちの少なくとも１つを含み、前記電圧センサが、電圧スパイク及び電圧渡過に関して前記少なくとも１つの電気ケーブルを監視するように構成され、前記電流センサが、負荷状態及び電流スパイクに関して、前記少なくとも１つの電気ケーブルを流れる電流を測定するように構成されている、請求項２０から４０のいずれか１項に記載の制御システム。
【請求項４２】
前記少なくとも１つのセンサが、温度または温度差を検出するように構成され、赤外線センサ及び温度センサのうちの少なくとも１つを含む、請求項２０から４１のいずれか１項に記載の制御システム。
【請求項４３】
前記少なくとも１つのセンサが、光センサ、湿度センサ、圧力センサ、気流センサ、振動センサ、及び浮遊電圧センサのうちの少なくとも１つを含み、前記浮遊電圧センサが、２つ以上の接地点間の浮遊電圧を測定するように構成されている、請求項２０から４２のいずれか１項に記載の制御システム。
【請求項４４】
前記少なくとも１つのセンサが、前記地下ボールトの内側の水位を測定するように構成された水位センサ、水の塩度を測定するように構成された塩度センサ、及び水の導電度を測定するように構成された導電度センサのうちの少なくとも１つを含む、請求項２０から４３のいずれか１項に記載の制御システム。
【発明の詳細な説明】
【技術分野】
【０００１】
関連出願の相互参照
本出願は、２０１６年３月３１日出願の米国特許仮出願第６２／３１６，２３０号の利益を主張し、その全体が参照により本明細書に組み入れられる。
【０００２】
発明の背景
本発明は、概して地下制御システムを対象とする。
【背景技術】
【０００３】
密閉された地下空間は、危険である可能性がある。したがって、そのような空間の内側の環境を監視及び制御するように構成されたシステムに対する要望が存在する。本出願は、以下の詳細な説明及び添付図面から明らかになるであろう利点及び他の利点を提供する。
【図面の簡単な説明】
【０００４】
【図１】例示的マンホールイベント抑止システムのブロック図である。
【図２】１つ以上のマンホールイベント抑止システムを制御するために使用され得るデータロガーの第１の例示的実装例のブロック図である。
【図３】図２のデータロガーのセンサアレイのブロック図である。
【図４】１つ以上のマンホールイベント抑止システムを制御するために使用され得るデータロガーの第２の例示的実装例の底面斜視図である。
【図５】図４のデータロガーの正面立面図であり、その正面カバーが取り除かれている。
【図６】図４のデータロガーの底面斜視図であり、その外側ハウジングが省略されている。
【図７】図４のデータロガーの上面斜視図であり、その外側ハウジングが省略されている。
【図８】図４のデータロガーの内部ハウジングの底面斜視図である。
【図９】図４のデータロガーの正面立面図であり、その電力ケーブル、外側ハウジング、及び内部ハウジングの正面カバーが省略されている。
【図１０】図４のデータロガーの内部ハウジングの内側に位置付けられた内部要素の一部の上面斜視図である。
【図１１】エンクロージャ及びガスケットを含む、図４のデータロガーの基板上に実装された電気要素の底面斜視図である。
【図１２】図４のデータロガーのエンクロージャ及びガスケットの部分分解底面斜視図である。
【図１３】図４のデータロガーの基板上に実装された電気要素の上面斜視図であり、エンクロージャが省略されている。
【図１４】図４のデータロガーの電気要素のうちのいくつかを例証するブロック図である。
【図１５】図４のデータロガーに含まれ得る例示的センサのブロック図である。
【図１６】図４のデータロガーを構築するために使用され得るハウジング組立体の代替の実施形態の上面斜視図である。
【図１７】図１６のハウジング組立体の底面斜視図である。
【発明を実施するための形態】
【０００５】
マンホールイベント抑止システム
電気的マンホールイベントは、典型的にはマンホールボールトの内側での爆発性ガスの蓄積によって生じる。マンホールイベントは、小さい事件（例えば、煙または小規模な火事）及び／または重大なイベント（例えば、長時間続く火事及び爆発）の両方を含む。よくても、小さい事件は、停電を引き起こす可能性がある。最悪の場合、爆発等の重大なイベントは、時としてマンホール蓋を上空へ押し上げ、物的損害、傷害、及び死さえも引き起こし得る。
【０００６】
マンホールイベント抑止システムは、マンホールイベントを防止することを助ける。多くのタイプのそのようなシステムを動作させ得るが、例証を容易にするために、図１は、マンホールボールト１２の内側の空気を換気するかまたは循環させる換気式マンホールイベント抑止システム１００のブロック図である。
【０００７】
図１を参照すると、マンホールイベント抑止システム１００は、１つ以上の導管２０Ａによって相互接続されたボールト（各々がボールト１２と同様）のうちの１つ以上に設置され得る。非限定な例として、マンホールイベント抑止システム１００は、２０１６年３月２９日出願の米国特許出願第１５／０８４，３２１号、発明の名称ＶＥＮＴＩＬＡＴＩＯＮ  ＳＹＳＴＥＭ  ＦＯＲ  ＭＡＮＨＯＬＥ  ＶＡＵＬＴに記載されている換気システムのいずれかに従って実装されてもよい。
【０００８】
図１に示すように、ボールト１２及び導管（複数可）２０Ａは、街路または歩道の高さ（面３０として特定される）の下方に位置決めされている。図１では、１つのボールト及び１つの導管２０Ａのみが、例示されている。しかしながら、任意の数のボールト（各々がボールト１２に実質的に類似している）及び任意の数の導管（各々が導管２０Ａに実質的に類似している）が含まれてもよい。
【０００９】
例示した実施形態では、導管２０Ａは、１つ以上のケーブル絶縁材料及び／またはケーブル遮蔽材料から作製された外側層１１４により取り囲まれた導体１１２を有するケーブル１１０を収納する。ボールト１２は、設備８４（例えば、電気設備）を収納してもよい。ボールト１２は、水８０（例えば、溢水）及び／またはデブリ８２（例えば、有害な液体、道路用塩、ごみ、屎尿、害虫、皮下注射器等）等の望ましくない材料も収納してもよい。
【００１０】
マンホールイベント抑止システム１００は、空気移動組立体９０、及びボールト１２の外側の外部雰囲気１０２（例えば、表面３０の上方）とボールト１２の内側の内部雰囲気１０４との間のインターフェース９２を含む。内部雰囲気１０４は、望ましくない（かつ潜在的に危険な）ガス組成物１０６を含み得る。ガス組成物１０６は、ボールト１２の内部５０内に非均一的に分布し得る。例えば、ガス組成物１０６は、床部５８に隣接するか、または床部５８の近くにある場合がある。（ガス組成物１０６の一因となる）ガスは、外側層１１４またはその一部分（例えば、ケーブル絶縁材料）の電気化学的劣化から生じ得る。さらに、電気トラッキングは、外側層１１４またはその一部分（例えば、ケーブル絶縁材料）を加熱及び分解して、（ガス組成物１０６の一因となる）ガスを生み出し得る。
【００１１】
空気移動組立体９０の全部または一部分は、ボールト１２の内部雰囲気１０４の内側に位置決めされてもよい。任意追加的に、空気移動組立体９０は、空気移動装置９４（例えば、換気装置）を含んでもよい。しかしながら、これは、要件ではない。
【００１２】
空気移動装置９４は、ボールト１２の内側または外側に位置決めされ得る制御システム８６により制御されてもよい。制御システム８６は、有線接続、無線接続、１つ以上の光通信ケーブル等を介して、空気移動装置９４に接続され得る。光ファイバは、典型的には非導電性ジャケット／シースを有し、制御システム８６が地面の上方に位置付けられることを可能にし得る。しかしながら、これは、要件ではない。
【００１３】
制御システム８６は（例えば、有線接続、無線接続、１つ以上の光通信ケーブル等を介して）、ボールト１２の内側の１つ以上のセンサ８８から環境データ（例えば、少なくとも１つのパラメータの少なくとも１つの値を含む監視信号）を受信し得る。例えば、センサ８８（複数可）は、ボールト１２の内側の１種以上のガスを監視し、その情報（例えば、監視信号で）を制御システム８６に送信するように構成され得る。そのような実施形態では、制御システム８６は、センサ（複数可）８８が少なくとも所定のレベルの監視されたガスがボールト１２の内側に存在することを検出すると、空気移動装置９４を起動し得る。センサ（複数可）８８は、内部雰囲気１０４中の可燃性ガス（例えば、水素、一酸化炭素、メタン、または他の可燃性ガス）の濃度が所定の爆発下限（「ＬＥＬ］）の所定の第１のパーセンテージ（例えば、５０％または７５％）を上回ると、空気移動装置９４を（例えば、要求に応じて）起動するように構成されたスマートセンサとして各々実装され得る。センサ（複数可）８８は、可燃性ガスの濃度が所定のＬＥＬの所定の第２のパーセンテージ（例えば、５％または１０％）を下回るまで空気移動装置９４を稼働させるように構成され得る。さらに、マンホールイベント抑止システム１００は、センサ８８のうちの１つ以上の変化率（「ＲＯＣ」）が所定のしきい値を上回ると、起動され得る。
【００１４】
制御システム８６は、タイマを使用して、空気移動装置９４を起動するように構成され得る。この様式で、制御システム８６は、空気移動装置９４を所定の時間（例えば、規則的な間隔、スケジュールされた時間等）に繰り返しオン及びオフしてもよい。例えば、制御システム８６は、空気移動装置９４を１時間ごとに約５分未満または１時間ごとに約１５分未満だけ可動させてもよい。
【００１５】
さらに別の非限定な例示として、制御システム８６は、マンホール蓋１３０が取り外されているとき、及び／または空気移動装置９４が取り外されているときに空気移動装置９４への電源をオフにするリミットスイッチを含み得る。
【００１６】
さらに別の非限定な例として、センサ（複数可）８８は、ボールト１２の内側の水位を監視するように構成されてもよい。そのような実施形態では、制御システム８６は、センサ（複数可）８８がボールト１２の内側の水位が所定のレベルを上回ったことを検出すると、空気移動装置９４を停止し得る。
【００１７】
さらに別の非限定な例として、制御システム８６は、ボールト１２の内側の温度を監視するように構成されてもよい。そのような実施形態では、制御システム８６は、ボールト１２の内側の温度が所定のしきい値を超えると、空気移動装置９４への電源を起動し得る。
【００１８】
いくつかの実装例では、制御システム８６及び／またはセンサ（複数可）８８は、空気移動組立体９０のサブ要素であってもよい。任意追加的に、制御システム８６は、ボールト１２と同様の多数のボールト内に設置された多数の空気移動組立体（各々が空気移動組立体９０と同様）を制御するように構成されてもよい。任意追加的に、空気移動装置９４及び／または制御システム８６のために、過電圧保護が設けられてもよい。
【００１９】
インターフェース９２は、マンホール蓋１３０及び／または換気ダクトもしくは換気筒１３２として実装されてもよい。換気筒１３２は、既存の外部換気ダクトまたは外部換気筒（例えば、現在カリフォルニア州内で使用されている種類の）であってもよい。
【００２０】
インターフェース９２がマンホール蓋１３０である実施形態では、マンホール蓋１３０は、１つ以上の貫通孔１５１を含む。貫通孔１５１の第１の部分は、それぞれ換気孔１５２として機能してもよく、かつ／または貫通孔１５１の第２の部分は、それぞれ排気孔１５３として機能してもよい。言い換えれば、マンホール蓋１３０は、１つ以上の換気孔１５２及び／または１つ以上の排気孔１５３を含んでもよい。各換気孔１５２は、外部雰囲気１０２の一部分（矢印Ａ１により表される）がマンホール蓋１３０を通過し、内部雰囲気１０４に進入することを可能にするように構成されている。他方、各排気孔１５３は、内部雰囲気１０４の一部分（矢印Ａ２により表される）がマンホール蓋１３０を通過し、外部雰囲気１０２に進入することを可能にするように構成されている。当業者には明らかであるように、貫通孔１５１のうちの特定の貫通孔を通る流れの方向は、その特定の貫通孔が換気孔であるか、または排気孔であるかを決定するため、貫通孔１５１のうちの任意の貫通孔は、換気孔または排気孔のいずれかとして使用され得る。さらに、流れの方向を逆にすることにより、換気孔が排気孔に転換されてもよく、逆もまた同様である。さらに、貫通孔１５１のうちの１つまたは複数は、双方向の流れのために構成されてもよく、したがって換気孔及び排気孔の両方として機能する。
【００２１】
換気孔（複数可）１５２及び排気孔（複数可）１５３は、外部雰囲気１０２と内部雰囲気１０４との間の圧力を等しくするような大きさであってもよい。例えば、換気孔（複数可）１５２を通じたガス流入（すなわち、矢印Ａ１により表される取り入れ）のために利用可能な全開放面積の、排気孔１５３を通じたガス流出（すなわち、矢印Ａ２により表される排気）のために利用可能な全開放面積に対する比率は、約１．０±０．２５であってもよい。しかしながら、これは、要件ではない。別の非限定な例示を目的として、換気孔（複数可）１５２を通じたガス流入（すなわち、矢印Ａ１により表される取り入れ）のために利用可能な全開放面積の、排気孔１５３を通じたガス流出（すなわち、矢印Ａ２により表される排気）のために利用可能な全開放面積に対する比率は、空気が専らボールト１２から引き込まれ、排気孔（複数可）１５３を通じて排気されるのではなく、隣接するマンホールボールトから優先的に引き込まれるように、調節（または規制）されてもよい。この様式で、ボールト１２内の空気移動組立体９０は、それに接続された他のボールトから空気を引き込むためにも使用され得る。
【００２２】
換気孔（複数可）１５２は、マンホール蓋１３０の上側１３１の全面積の少なくとも所定量を占めてもよい。非限定な例示を目的として、換気孔（複数可）１５２により占められる上側１３１の全面積の所定量は、約５％または約１５％であってもよい。
【００２３】
同様に、排気孔（複数可）１５３は、マンホール蓋１３０の上側１３１の全面積の少なくとも所定量を占めてもよい。非限定な例示を目的として、排気孔（複数可）１５３により占められる上側１３１の全面積の所定量は、約５％または約１５％であってもよい。
【００２４】
インターフェース９２が換気筒１３２である実施形態では、換気筒１３２は、外部雰囲気１０２及び内部雰囲気１０４の両方と流体連通した通路１３４を提供する。したがって、外部雰囲気１０２の一部分（矢印Ａ１'により表される）は、通路１３４を通過し、内部雰囲気１０４に進入してもよい。他方、内部雰囲気１０４の一部分（矢印Ａ２'により表される）は、通路１３４を通過し、外部雰囲気１０２に進入してもよい。
【００２５】
矢印Ａ１及びＡ１'は、外部雰囲気１０２から内部雰囲気１０４内へ流れる外部（新鮮）空気を表す。他方、矢印Ａ２及びＡ２'は、内部雰囲気１０４から外部雰囲気１０２内へ流れる内部（新鮮でない、及び／または汚染された）空気を表す。共同で、矢印Ａ１及びＡ２は、マンホール蓋１３０を通じた外部雰囲気１０２と内部雰囲気１０４との間の空気交換を表し、矢印Ａ１'及びＡ２'は、換気筒１３２を通じた外部雰囲気１０２と内部雰囲気１０４との間の空気交換を表す。
【００２６】
空気移動組立体９０は、矢印Ａ１、Ａ１'、Ａ２、及びＡ２'のうちの１つまたは複数により表される空気交換を引き起こす。言い換えれば、インターフェース９２がマンホール蓋１３０を含む実施形態では、空気移動組立体９０は、内部雰囲気１０４の少なくとも一部分（矢印Ａ２により表される）を、マンホール蓋１３０の排気孔（複数可）１５３を通じてボールト１２から外向きに吐出させてもよく、かつ／または外部雰囲気１０２の少なくとも一部分（矢印Ａ１により表される）を、マンホール蓋１３０の換気孔（複数可）１５２を通じてボールト１２内へ引き込ませてもよい。インターフェース９２が換気筒１３２を含む実施形態では、空気移動組立体９０は、内部雰囲気１０４の少なくとも一部分（矢印Ａ２'により表される）を、通路１３４を通じてボールト１２から外向きに吐出させてもよく、かつ／または外部雰囲気１０２の少なくとも一部分（矢印Ａ１'により表される）を、通路１３４を通じてボールト１２内へ引き込ませてもよい。任意追加的に、空気移動装置９４は、ボールトの外にあってもよい。例えば、空気移動装置９４は、換気筒１３２内に位置付けられてもよい。
【００２７】
インターフェース９２がマンホール蓋１３０を含む実施形態では、両矢印Ａ３及びＡ４は、空気移動組立体９０により生成されるボールト１２の内側の気流を表す。このような実施形態では、空気移動組立体９０は、マンホール蓋１３０の排気孔（複数可）１５３に向かって内部空気を押圧し（例えば、吹く）、マンホール蓋１３０の換気孔（複数可）１５２を通じて外部空気を引き入れ（例えば、吹く）、またはその両方を行うように構成されてもよい。インターフェース９２が換気筒１３２を含む実施形態では、両矢印Ａ４及びＡ５は、空気移動組立体９０により生成されるボールト１２の内側の気流を表す。このような実施形態では、空気移動組立体９０は、換気筒１３２の通路１３４を通じて内部空気を押圧し（例えば、吹き）、換気筒１３２の通路１３４を通じて外部空気を引き入れ（例えば、吹き）、またはその両方を行うように構成されてもよい。
【００２８】
ボールト（各々がボールト１２と同様）を相互接続する導管２０Ａは、空気（及び他のガス）がボールト間を移動し得る通路を提供する。空気移動組立体９０は、空気（及び他のガス）を、１つ以上の導管（各々が導管２０Ａと同様）及び／または（導管を介して）近隣のボールトのうちの１つ以上から、内部雰囲気１０４内に流入させてもよい。追加的に、空気移動組立体９０は、空気（及び他のガス）を、内部雰囲気１０４から、導管（各々が導管２０Ａと同様）のうちの１つもしくは複数内に、かつ潜在的に（導管を介して）近隣のボールトのうちの１つもしくは複数内に、流入させてもよい。言い換えれば、空気移動組立体９０は、特定のボールト（例えば、ボールト１２）と導管のうちの１つ以上（各々が導管２０Ａと同様）との間で空気を移動させてもよい。さらに、空気移動組立体９０は、特定のボールト（例えば、ボールト１２）と近隣のボールトのうちの１つまたは複数との間で導管を介して空気を移動させてもよい。
【００２９】
データロガーの第１の実施形態
図２は、１つ以上のマンホールイベント抑止システムを制御するために使用され得るデータロガー２００の第１の例示的な実装例のブロック図である。データロガー２００によって制御されたマンホールイベント抑止システム（複数可）は、各々がマンホールイベント抑止システム１００と同様である１つ以上のマンホールイベント抑止システムを含み得る。例証を容易にするために、図２においては、マンホールイベント抑止システム１００を制御するデータロガー２００が図示される。そのような実施形態では、制御システム８６（図１参照）は、データロガー２００を使用して実装され得、１つ以上のセンサ８８（図１参照）は、センサアレイ３００として実装され得る。しかしながら、これは、要件ではない。また別の例示を目的として、データロガー２００は、マンホールイベント抑止システム１００とは異なる１つ以上のマンホールイベント抑止システムを制御し得る。例えば、マンホールイベント抑止システム１００は、ボールト１２の内側の可燃性ガスの堆積に働きかける原理を対象とし得るが（図１参照）、データロガー２００は、発火源を防止するか、またはボールト１２内部の酸化剤（例えば、酸素）の濃縮を制限する原理に働きかける１つ以上のマンホールイベント抑止システムを制御し得る。また別の例示を目的として、データロガー２００は、マンホールイベント抑止システム１００の換気装置、蓋、またはダクトに一体化されるかまたは収容されてもよい。
【００３０】
図２を参照すると、データロガー２００は、以下の要素を含み得る。
・データを処理中一時的に記憶し、及び／またはデータを長期間記憶するように構成されたメモリ２０２。メモリ２０２は、多数のタイプのメモリ（揮発性及び不揮発性メモリ等）で構成されてもよい。
・データを受信し、処理し、メモリ２０２内に記憶するように構成されたプロセッサ２０４
・データにタイムスタンプするためにプロセッサ２０４によって使用されるクロック２０６。クロック２０６は、データロガー２００を「スリープモード」から「データ収集モード」に遷移させるアラームとして機能し得る。
・センサアレイ３００（以下に説明）からのデータをプロセッサ２０４に対する単一の出力に統合するように構成された任意追加のマルチプレクサ（ＭＵＸ）２１０。
・プロセッサ２０４とセンサアレイ３００との間のインターフェースを提供するように構成されたＩ／Ｏ２１２。
・データロガー２００とローカルエリアネットワーク２２０及び／または広域ネットワーク２４０との間の通信を提供するように構成されたネットワークインターフェース２１４。
・データロガー２００、センサアレイ３００、及びネットワークキングインターフェース２１４を稼働させるために要する電力を提供するように構成された電力ユニット２１６。また、電力ユニット２１６は、マンホールイベント抑止システム１００の空気移動装置９４（図１参照）を制御するための電力を提供する。電力ユニット２１６は、供給電圧（例えば、図１に図示された導体１１２）、バッテリ、寄生電源、または外部電源からの電力を受信し得る。
【００３１】
上述のデータロガー２００の要素は、多種多様なバスアーキテクチャのいずれかを使用して、メモリバスまたはメモリコントローラ、周辺バス、及びローカルバスを含むいくつものタイプのバス構造のいずれかであり得るバス２５０によって相互接続される。
【００３２】
データロガー２００は、マンホールイベント抑止システム１００を制御するように構成されている。例えば、データロガー２００は、システム１００（例えば、図１に描画された空気移動装置９４）をオンオフするように構成され得る。データロガー２００は、センサアレイ３００によって測定されたデータに基づいて、条件を満たすようにシステム１００の性能を調整するように構成され得る。データロガー２００は、システム１００に、予めプログラムされたタイムルーチンを実行するように命令するように構成され得る。別の非限定な例示を目的として、データロガー２００は、ネットワークインターフェース２１４からの１つ以上の外部トリガまたはコマンドを受信し、それらのコマンドに基づいてシステム１００に命令してもよい。
【００３３】
上記で述べたように、ネットワークインターフェース２１４は、データロガー２００とローカルエリアネットワーク２２０及び／または広域ネットワーク２４０との間の通信を提供するように構成されている。本明細書で使用される場合、ローカルエリアネットワーク２２０は、マンホールイベント抑止システム（例えば、システム１００と同様）のネットワークである。データロガー２００は、直接接続かまたは通信プロトコル、例えばＳＣＡＤＡ、ＩＥＣ６１８５０、ＩＥＥＥ８０２．１１、ＩＥＥＥ８０２．１６、Ｂｌｕｅｔｏｏｔｈ（登録商標）、ネットワーク、無線ネットワーク、セルラネットワーク、衛星ネットワーク、インターネット等を通して、隣接するデータロガーまたはマンホールイベント抑止システムに接続され得る。ローカルエリアネットワーク２２０は、各マンホールイベント抑止システムを、近接または隣接するマンホールで生じるイベント及び測定値に対して調整し、その性能を最適化することを可能にする。ネットワークインターフェース２１４は、ローカルエリアネットワーク２２０及び／または広域ネットワーク２４０からコマンドを受信し、受信されたコマンドに基づいて、マンホールイベント抑止システム１００を動作させるように構成され得る。
【００３４】
本明細書で使用される場合、広域ネットワーク２４０は、集中型データ記憶、データ解析、自動化限界警報、及び／または通知を提供するように構成された集中型コンピューティングシステム（図示せず）を含んでもよい。データロガー２００は、通信プロトコル、例えばＳＣＡＤＡ、ＩＥＣ６１８５０、ＩＥＥＥ８０２．１１、ＩＥＥＥ８０２．１６、Ｂｌｕｅｔｏｏｔｈ、ネットワーク、無線ネットワーク、セルラネットワーク、衛星ネットワーク、インターネット等を通して、広域ネットワーク２４０に接続され得る。広域ネットワーク２４０によって収集されたデータを使用して、限界を超えるデータを特定し、起こり得るかまたは差し迫った問題を示す警報（またはフラグ）を発し、及び／または調査作業を開始し、破局的な故障を防止し得る。分散型広域ネットワーク２４０によって収集されたデータを記憶及び解析して、マンホールイベントの理解を深めてもよい。例えば、データを使用して、マンホールイベントに至るトリガ及びマンホールイベントの前兆を特定し得る。さらに、データを使用して、システム１００の性能、及び広域ネットワーク２４０に接続された他のシステムを最適化するための方法を判定し得る。特別な命令を集中型コンピューティングシステム（図示せず）に通信して戻し、広域ネットワーク２４０に接続されたマンホールイベント抑止システムの性能を最適化し、及び／またはその挙動を変化させることができる。
【００３５】
図３は、センサアレイ３００のブロック図であり、これは、各々がＩ／Ｏ２１２によってデータロガー２００に接続された後続のセンサのうちの１つ以上を含み得る。
・ボールト１２に包含された酸素の濃度を（例えば、総パーセンテージ、爆発下限（ＬＥＬ）のパーセンテージ、変化率（ＲＯＣ）等として）測定するように構成された酸素センサ３１０。
・ボールト１２に包含された一酸化炭素の濃度を（例えば、総パーセンテージ、ＬＥＬのパーセンテージ、ＲＯＣ等として）測定するように構成された一酸化炭素センサ３１１。
・ボールト１２に包含された二酸化炭素の濃度を（例えば、総パーセンテージ、ＬＥＬのパーセンテージ、ＲＯＣ等として）測定するように構成された二酸化炭素センサ３１２。
・ボールト１２に包含された水素の濃度を（例えば、総パーセンテージ、ＬＥＬのパーセンテージ、ＲＯＣ等として）測定するように構成された水素センサ３１３。
・ボールト１２に包含された水素の濃度を（例えば、総パーセンテージ、ＬＥＬのパーセンテージ、ＲＯＣ等として）測定するように構成されたメタンセンサ３１４。
・ボールト１２に包含された水素の濃度を（例えば、総パーセンテージ、ＬＥＬのパーセンテージ、ＲＯＣ等として）測定するように構成された炭化水素センサ３１５。
・容量性センサまたは誘導性センサを使用して、ボールト１２及び隣接する電気ネットワークで生じる部分放電活動を監視及び測定するように構成された部分放電センサ３１６。
・検出点の近くで生じる放電または部分放電活動に対するＲＦスペクトル（約１ＭＨｚ〜１ＧＨｚ）を監視するように構成された無線周波数（「ＲＦ」）信号センサ３１７。
・検出点の近くで生じる放電または部分放電活動に対する超音波スペクトル（約２０ｋＨｚ〜１ＭＨｚ）を監視するように構成された超音波センサ３１８。
・放電または部分放電活動を監視するように構成された過渡接地電圧（ＴＥＶ）センサ３１９。
・電圧スパイク及び電圧過渡のためにボールト１２を通って延びているケーブルシステム（例えば、ケーブル１１０）を監視するように構成されたシステム電圧センサ３２０。
・イベントまたはトリガに基づいて起動され、ボールト１２、電気システム、またはマンホールイベント抑止システム１００を撮像するかまたはそれらの動画をキャプチャするように構成されたカメラ３２１。非限定な例示を目的として、カメラ３２１は、高速な動画、高精度な動画等をキャプチャするように構成されてもよい。
・マンホールボールト１２内部に包含された機器及びシステム要素の相対的な温度差を検出するように構成された赤外線（「ＩＲ」）センサ３２２。
・ボールト１２、電気システム等の内部で生じるコロナ放電からの紫外線スペクトルで放出された光を検出するように構成された紫外線（「ＵＶ」）センサ３３６。
・周囲光条件の変化を検出するように構成された光センサ３２３。
・内部雰囲気１０４の相対湿度を測定するように構成された湿度センサ３２４（図１参照）。
・ボールト１２内部に包含された水位を測定するように構成された水位センサ３２５。
・ボールト１２内部に包含された水の塩度を測定するように構成された水塩度センサ３２６。
・ボールト１２内部に包含された水の導電度を測定するように構成された水導電度センサ３２７。
・ボールト１２内部に包含された大気圧を測定するように構成された圧力センサ３２８。
・ボールト１２内部の周囲温度を測定するように構成されたボールト温度センサ３２９。
・ボールト１２を通過するケーブル（例えば、ケーブル１１０）の温度を測定するように構成されたケーブル温度センサ３３０。
・ボールト１２及び／または導管２０Ａ内部の１つまたは多数の位置における気流を測定するように構成されたボールト／導管空気流センサ３３１。
・マンホールイベント抑止システム１００内部の１つまたは多数の位置における気流を測定するように構成された抑止システム気流センサ３３２。
・ボールト１２の内側の環境の振動及び動きを測定するように構成された振動センサ３３３。
・ボールト１２内部の、及び２つ以上の接地点間のケーブルシステム（例えば、ケーブル１１０）内部の浮遊電圧を測定するように構成された浮遊電圧センサ３３４。
・ボールト１２内部のケーブル（例えば、ケーブル１１０）及び接地線を伝わる電流を測定するように構成された電流センサ３３５。
・１つ以上の他のセンサ３３８。
【００３６】
非限定な例として、他のセンサ（複数可）３３８は、以下のうちの１つ以上を含んでもよい。
・導管２０Ａを通る気流を判定するように構成されたダクト気流センサ。ダクト気流センサは、ボールト／導管空気流センサ３３１実質的に類似し得る。
・ボールト１２内のラドンのレベルを検出するように構成されたラドンセンサ。例えば、ラドンセンサは、ボールト１２に包含されたラドンの濃度を（例えば、総パーセンテージ、ＲＯＣ等として）測定し得る。
・ボールト１２に包含された硫化水素の濃度を（例えば、総パーセンテージ、ＲＯＣ等として）測定するように構成された硫化水素センサ。
・ボールト１２の内側の内部雰囲気１０４（図１参照）における粒子の濃度を測定するように構成された微粒子／不透明度センサ。
・データロガー２００が位置する場所を判定するように構成された全地球測位システム（「ＧＰＳ」）。
・マンホールイベントが生じたとき、またはデータロガー２００が保守中に動かされたときを判定するように構成された加速度計。
・マンホールイベントが生じたときを判定するように構成された動きセンサ。
・磁界内の変化または変動を監視するように構成された磁界センサ。
【００３７】
データロガーの第２の実施形態
図４は、ボールト１２（図１及び１４）の内側を監視し、１つ以上のマンホールイベント抑止システムを制御するために使用され得るデータロガー４００の第２の例示的な実装例のブロック図である。データロガー４００は、データロガー２００の代用で代わりに使用されてもよい。例えば、データロガー４００を使用して、各々がマンホールイベント抑止システム１００（図１及び２）と同様である１つ以上のマンホールイベント抑止システムを制御し得る。そのような実施形態では、制御システム８６（図１参照）は、データロガー４００を使用して実装され得、１つ以上のセンサ８８（図１参照）は、１つ以上のセンサ４０２（図１３及び１５参照）として実装され得る。しかしながら、これは、要件ではない。図１４を参照すると、センサ４０２（図１３及び１５参照）は、データロガー４００の内側に位置する１つ以上の内部センサ（複数可）４０２Ａと、データロガー４００の外側（例えば、ボールト１２の内側）に位置する１つ以上の外部センサ４０２Ｂとを含み得る。
【００３８】
図１４を参照すると、データロガー４００は、ボールト１２の内側に設置され得る。データロガー４００は、外部装置、例えば電気システム機器と通信し、それらを制御するように構成され得る。データロガー４００は、ボールト１２内に設置された第１のシステム（例えば、マンホールイベント抑止システム１００）に接続され、それを制御し得る。任意追加的に、データロガー４００は、別のボールト（例えば、ボールト１２と同様）内に設置された第２のシステム（例えば、マンホールイベント抑止システム１００と同様）に接続され、それを制御し得る。そのような実施形態では、データロガー４００は、第１及び第２のボールトを相互接続する導管（複数可）２０Ａ（図１参照）のうちの１つ以上を介して第２のシステム（図示せず）に接続され得る。任意追加的に、データロガー４００は、任意の数のボールト（例えば、各々がボールト１２と同様）に設置され、導管（複数可）２０Ａ（図１参照）によって相互接続された任意の数のシステム（例えば、各々がマンホールイベント抑止システム１００と同様）に接続され、それを制御し得る。
【００３９】
データロガー４００によって制御されたシステム（複数可）は、ボールト（複数可）を換気し得、及び／またはボールト（複数可）内部の空気を循環させ得る。さらに、データロガー４００は、マンホールイベント抑止システム１００（図１及び２参照）とは異なる１つ以上のマンホールイベント抑止システムを制御し得る。例えば、図１を参照すると、マンホールイベント抑止システム１００は、ボールト１２の内側の可燃性ガスの堆積に働きかける原理を対象とし得るが、データロガー４００（図４、５及び１４参照）は、発火源を防止するか、またはボールト１２内部の酸化剤（例えば、酸素）の濃縮を制限する原理に働きかける１つ以上のマンホールイベント抑止システムを制御し得る。
【００４０】
図４を参照すると、データロガー４００は、マンホールイベント抑止システムとともに使用することに限定されない。代わりに、データロガー４００は、他のタイプの限られた空間内で使用されてもよい。例えば、データロガー４００を使用して、原子力プラントにおけるボールト内部の水の有無及び／または水位を検出し得る。別の非限定な例示を目的として、データロガー４００は、新しいかまたは既存の需要（例えば、電気）計器とともに地下ボールト内に設置されてもよい。
【００４１】
以下に説明されるように、データロガー４００は、氾濫しがちな環境（例えば、地下空洞）において動作するように構成されている。データロガー４００は、センサ（複数可）４０２（１３及び１５参照）と同様に、電気要素４０４（図９〜１１及び１３参照）を収容する。このように、データロガー４００は、水８０（図１参照）が電気要素４０４（図９〜１１及び１３参照）に接触することを防止するように構成されている。加えて、以下に説明されるように、データロガー４００は、永続的に（例えば、約１５年以上）設置され、ボールト１２の内側から電力を受信するように構成されている。任意追加的に、電気要素４０４（図９〜１１及び１３参照）は、バックアップ電力源を含んでもよい。
【００４２】
図４を参照すると、データロガー４００は、ハウジング組立体４０８を含む。例示した実施形態では、ハウジング組立体４０８は、外側ハウジング４１０を含む。例示した実施形態では、外側ハウジング４１０は、下部４１４とは反対側に上部４１２（図５参照）を有するほぼ正方形または矩形の外形を有する。また、外側ハウジング４１０は、第２の側部４１８（図５参照）の反対の第１の側部４１６と、後部４２２の反対の前部４２０とを有する。
【００４３】
図５を参照すると、外側ハウジング４１０は、その内部４２６の内側の空気を閉じ込めるように構成されている。このように、外側ハウジング４１０は、その上部４１２またはその第１及び第２の側部４１６及び４１８に沿って、いかなる開口も含まない。しかしながら、図４を参照すると、外側ハウジング４１０の下部４１４は、各々が内部４２６（図５参照）の中への通路を提供する１つ以上のアパーチャ４３０及び４３２を含む。このように、図１４を参照すると、外側ハウジング４１０（図４及び５参照）は、空気を閉じ込め、データロガー４００の内側に位置するセンサ（複数可）４０２Ａ及び電気要素４０４（図９〜１１及び１３参照）が、水８０（図１参照）がボールト１２に侵入したときに浸漬されることを防止するダイビングベルと同様であることを特徴とし得る。これは、センサ（複数可）４０２Ａ及び電気要素４０４（図９〜１１及び１３参照）の寿命を伸ばすことを助ける。外側ハウジング組立体４１０は、空気を閉じ込め、センサ（複数可）４０２Ａ及び電気要素４０４を最大２気圧の（または、約３０フィートの水中における）内圧で保護するようなサイズにされ得る。
【００４４】
図４を参照すると、例示した実施形態では、外側ハウジング４１０の前部４２０は、取り外し可能な蓋板４３６を含む。任意追加的に、テザー４３８は、蓋板４３６（図４参照）が外側ハウジング４１０の残余の部分から取り外されたときに、蓋板４３６を外側ハウジング４１０の残余の部分に取り付け得る。テザー４３８は、蓋板４３６が紛失するかまたは破損することを防止することを助け得る。図５を参照すると、蓋板４３６（図４参照）が取り外されると、内部要素４４０は、上部、下部、第１の側部、及び第２の側部４１２〜４１８によって画定された開口４４２を通って、外側ハウジング４１０の内部４２６に設置され、及び／またはその中でアクセスされ得る。蓋板４３６（図４参照）は、１つ以上の固定具４４８（図４参照）によって、外側ハウジング４１０の上部、下部、第１の側部、及び第２の側部４１２〜４１８に取り付けられ得る。図４を参照すると、固定具（複数可）４４８は、各々ねじ、ボルト等として実装され得る。図５に例示した実施形態では、固定具４４８（図４参照）は、上部及び下部４１２及び４１４と第１及び第２の側部４１６及び４１８との交点に、またはその近くに挿入される。しかしながら、これは、要件ではない。
【００４５】
代替の実施形態では、図４を参照すると、外側ハウジング４１０の前部４２０は、蓋板４３６及び前部開口４４２が省略され得る（図５参照）。代わりに、下部４１４は、同様の取り外し可能な底板（図示せず）を含んでもよい。図５を参照すると、底板（図示せず）が取り外されると、内部要素４４０は、底開口（図示せず）を通って、外側ハウジング４１０の内部４２６に設置され得る。図４を参照すると、そのような実施形態では、アパーチャ（複数可）４３０及び４３２は、底板（図示せず）に形成され得る。
【００４６】
図４を参照すると、外側ハウジング４１０の後部４２２は、上部４１２（図５参照）から上方に延出する上方延出実装フランジ４５０と、下部４１４から下方に延出する下方延出実装フランジ４５２とを含む。フランジ４５０及び４５２は、互いに鏡像であってもよい。固定具４５４（例えば、ねじ、ボルト等）は、フランジ４５０及び４５２の中に挿入され、外側ハウジング４１０を別の構造（例えば、図１に図示されたボールト１２の壁）に固定するために使用され得る。
【００４７】
図５を参照すると、例示した実施形態では、ハウジング組立体４０８は、板４６０を含む。データロガー４００の内部要素４４０は、外側ハウジング４１０の後部４２２（図４参照）に取り付けられる板４６０に（例えば、固定具４６２によって）実装される。例示した実施形態では、外側ハウジング４１０は、固定具４６２を使用して板４６０を後部４２２に取り付ける（図４参照）場所に、ブロックＢ１〜Ｂ４を含む。
【００４８】
ハウジング組立体４０８は、外側ハウジング４１０の内側に位置付けられた内部ハウジング４６６を含む。このように、内部ハウジング４６６は、内部要素４４０のうちの１つであることを特徴とし得る。内部ハウジング４６６は、電気要素４０４（図９〜１１及び１３参照）を収容する。例示した実施形態では、内部ハウジング４６６は、下部４７４（図６参照）とは反対側に上部４７２（図７参照）を有するほぼ正方形または矩形の外形を有する。図６を参照すると、内部ハウジング４６６もまた、第２の側部４７８の反対の第１の側部４７６（図７参照）と、後部４８２の反対の前部４８０（図８参照）とを有する。
【００４９】
図９を参照すると、外側ハウジング４６６は、その内部４８６の内側の空気を閉じ込めるように構成されている。このように、外側ハウジング４６６は、その上部４７２またはその第２の側部４７８に沿って、いかなる開口も含まない。例示した実施形態では、第１の側部４７６は、ケーブルグリップ４９０を通過させて延在させる開口４８８（図８参照）を含む。図６を参照すると、ケーブルグリップ４９０は、電力ケーブル４９４（破線で示される）を通過させて内部ハウジング４６６の中に延在させ得るスルーチャネル４９２を有する。例示した実施形態では、ケーブルグリップ４９０は、電力ケーブル４９４のグリップを増大させるように締められ得るナット４９５を含む。内部Ｏリングまたはガスケット（図示せず）は、スルーチャネル４９２の内側に位置付けられ、ナット４９５が締められると電力ケーブル４９４を圧縮するように構成され得る。しかしながら、代替の実施形態では、第１の側部４７６は、いかなる開口も含まず、ケーブルグリップ４９０は、第１の側部４７６に代えて、下部４７４を通って延びる。図８を参照すると、内部ハウジング４６６は、各々が内部４８６の中への通路を提供する１つ以上のアパーチャ５００〜５２６及びその下部４７４を含む。
【００５０】
図１４を参照すると、内部ハウジング４６６（図５〜１０参照）は、空気を閉じ込め内部４８６（図９参照）の内側のセンサ（複数可）４０２Ａ及び電気要素４０４（図９〜１１及び１３参照）が、水８０（図１参照）がボールト１２に侵入したときに浸漬されることを防止するダイビングベルと同様であることを特徴とし得る。これは内部４８６（図９参照）の内側のセンサ（複数可）４０２Ａ及び電気要素４０４（図９〜１１及び１３参照）の寿命を向上させる。
【００５１】
図６を参照すると、例示した実施形態では、外側ハウジング４６６の前部４８０は、取り外し可能な蓋板５３０を含む。任意追加的に、テザー５３２は、蓋板５３０が内部ハウジング４６６の残余の部分から取り外されたときに、蓋板５３０を内部ハウジング４６６の残余の部分に取り付け得る。テザー５３２は、蓋板５３０が紛失するかまたは破損することを防止することを助け得る。図９を参照すると、蓋板５３０（図５〜８参照）が取り外されると、電気要素４０４は、内部ハウジング４６６の上部、下部、第１の側部、及び第２の側部４７２〜４７８によって画定された前部開口５３４を通って、内部ハウジング４６６の内部４８６に設置されるか、またはその中でアクセスされ得る。図６及び７を参照すると、蓋板５３０は、１つ以上の固定具５３６（例えば、ねじ、ボルト等）によって、内部ハウジング４６６の上部、下部、第１の側部、及び第２の側部４７２〜４７８に取り付けられ得る。図９を参照すると、例示した実施形態では、固定具５３６（図６〜８参照）は、上部及び下部４７２及び４７４と第１及び第２の側部４７６及び４７８との交点に、またはその近くに挿入される。しかしながら、これは、要件ではない。
【００５２】
代替の実施形態では、図６を参照すると、内部ハウジング４６６の前部４８０は、蓋板５３０及び前部開口５３４が省略され得る（図９参照）。代わりに、下部４７４は、蓋板５３０と同様の取り外し可能な底板（図示せず）を含んでもよい。図９を参照すると、底板（図示せず）が取り外されると、電気要素４０４は、底開口（図示せず）を通って、内部ハウジング４６６の内部４８６に設置され、及び／またはその中でアクセスされ得る。そのような実施形態では、アパーチャ（複数可）５００〜５２６（図８参照）は、底板（図示せず）に形成され得る。
【００５３】
図８を参照すると、内部ハウジング４６６の後部４８２は、第１の側部４７６から外向きに延出する第１の実装フランジ５４０と、第２の側部４７８から外向きに延出する第２の実装フランジ５４２とを含む。フランジ５４０及び５４２は、互いに鏡像であってもよい。図６及び７を参照すると、固定具５４６（例えば、ねじ、ボルト等）は、フランジ５４０及び５４２の中に挿入され、内部ハウジング４６６を板４６０に固定するために使用され得る。
【００５４】
図１６は、ハウジング組立体４０８（図４及び５参照）の代替の実施形態を描画する。図１６を参照すると、ハウジング組立体４０８'は、ハウジング組立体４０８（図４及び５参照）の代わりにその代用で使用されてもよい。ハウジング組立体４０８'では、外側ハウジング４１０（図４及び５参照）は、後板８００及び前部蓋部材８０２と置き換えられている。図１６では、前部蓋部材８０２は、透過しているとして図示されている。しかしながら、図１７では、前部蓋部材８０２は、中実であるとして図示される。
【００５５】
図１６を参照すると、前部蓋部材８０２は、上部側８１０、前部側８１２、第１の側８１４、及び第２の側８１６を有する。第１の側８１４は、第２の側８１６に対向する。前部蓋部材８０２は、上部側及び前部側８１０及び８１２に対向して開口する。前部側８１２に対向する上部側、第１の側、及び第２の側８１０、８１４、及び８１６の縁８２０、８２４、及び８２６はそれぞれ、後板８００に取り付けられ、それとともに防水封止を形成する。
【００５６】
図１７を参照すると、後板８００及び前部蓋部材８０２はともに、外側ハウジング４１０（図４及び５参照）の内部４２６（図５参照）に実質的に類似した内部８２８を画定する。しかしながら内部８２８は、上部側、第１の側、及び第２の側８１２、８１４、及び８１６の縁８３２、８３４及び８３６にそれぞれ沿って開口する。縁８３２、８３４及び８３６は、上部側８１０に対向する（図１６参照）。言い換えれば、下方開口８３８は、縁８３２、８３４及び８３６の間に画定される。
【００５７】
後板８００は、第１及び第２の側８１４及び８１６を越えて外向きに延び、フランジ８４０及び８４２をそれぞれ画定する。固定具４５４（図４及び４参照）実質的に類似している固定具（図示せず）が、フランジ８４０及び８４２に形成された貫通孔８４４に挿入されてもよい。固定具（図示せず）は、ハウジング組立体４０８'をボールト１２の壁（図１及び１４参照）に添着するために使用され得る。
【００５８】
図１６を参照すると、ハウジング組立体４０８'では、内部ハウジング４６６（図５〜１０参照）は、フレーム部材８５０及び板８５２と置き換えられる。例示した実施形態では、フレーム部材８５０は、外縁８５６によって取り囲まれた上部８５４と、外縁８５６から内向きに間隔を置かれた貫通孔８５８とを有する。フランジ８６０（図１７参照）、８６２、８６４、及び８６６（図１７参照）は、上部８５４から下向きに延びる。図１７を参照すると、フレーム部材８５０は内部８２８の内側の縁８３２、８３４、及び８３６から内向きに間隔を置かれている。図１６を参照すると、フランジ８６０、８６２、８６４、及び８６６は、後板８００、前部側８１２、第１の側８１４、及び第２の側８１６にそれぞれに取り付けられ、それとともに防水封止を形成する。
【００５９】
板８５２は、フレーム部材８５０の上部８５４の下側に実装される。図１７を参照すると、板８５２は、アパーチャ５００〜５２６を含み、これらは、フレーム部材８５０の貫通孔８５８（図１６参照）の内部に位置付けられている。図１６を参照すると、板８５２は、固定具８７０（例えば、ねじ、ボルト等）によって、フレーム部材８５０に取り外し可能に取り付けられる。基板５５０（例えば、プリント回路基板（「ＰＣＢ」）は、板８５２上に実装され、そこから上向きに延びる。例示した実施形態では、基板５５０は、後板８００、前部蓋部材８０２、及びフレーム部材８５０には取り付けられない。このように、図１７を参照すると、基板５５０及び基板５５０上に実装された要素は、下部開口８３８を通ってハウジング組立体４０８'から取り外され得る。
【００６０】
ハウジング組立体４０８'は、空気を閉じ込め、データロガー４００の内側に位置するセンサ４０２Ａ（図１４及び１５参照）及び電気要素４０４（図９〜１１及び１３参照）が、水８０（図１参照）がボールト１２（図１及び１４参照）に侵入したときに浸漬されることを防止するダイビングベルと同様であることを特徴とし得る。ハウジング組立体４０８'は、空気を閉じ込め、センサ（複数可）４０２Ａ及び電気要素４０４を最大２気圧の（または、約３０フィートの水中における）内圧で保護するようなサイズにされ得る。
【００６１】
図９を参照すると、電気要素４０４は、１つ以上の固定具５５２（例えば、ねじ、ボルト等）によって内部ハウジング４６６の後部４８２（図８参照）に取り付けられた基板５５０を含む。例示した実施形態では、内部ハウジング４６６は、固定具５５２を使用して基板５５０を内部ハウジング４６６に取り付ける場所に、ブロックＢ５〜Ｂ８を含む。
【００６２】
図１１を参照すると、内部要素４４０は、基板５５０上に実装され、エンクロージャ５５４と基板５５０との間に空気充填プレナム５５６を画定するンクロージャ５５４を含む。プレナム５５６は、試験チャンバであるとして特徴付けられ得る。図１２を参照すると、例示した実施形態では、エンクロージャ５５４は、前部側５５８、上部側５６０、及び第１及び第２の側５６２及び５６４を有するほぼ正方形または矩形の外形を有する。第１及び第２の側５６２及び５６４は、互いに対向する。上部側、第１の側、及び第２の側５６０、５６２、及び５６４は、各々前部側５５８から後方に延びる。フランジ５６２Ｆ及び５６４Ｆは、第１及び第２の側５６２及び５６４にそれぞれ形成され得る。フランジ５６２Ｆ及び５６４Ｆは、互いに向かって内向きに延び、エンクロージャ５５４を基板５５０（図９〜１１及び１３参照）に固定する固定具５６５を受け入れるように構成されている。上部側５６０は、内部に形成された貫通孔５６６を有する。上部側５６０とは反対に、エンクロージャ５５４には、前部側５５８、第１の側５６２、及び第２の側５６４の間に、開口５６８が画定される。ガスケット５７０は、開口５６８を覆う。ガスケット５７０は、貫通孔５７２を有する。このように、貫通孔５６６（図１２参照）及び５７２は、両方ともプレナム５５６の中へのアクセスを提供する。
【００６３】
図１１を参照すると、電気要素４０４は、エンクロージャ５５４の上部側５６０（図１２参照）に実装され、貫通孔５６６（図１２参照）を介してプレナム５５６の中に（またはプレナム５５６の外に）空気を吹き出すように位置付けられたファン５７４を含む。図１３を参照すると、ファン５７４は、１つ以上の固定具５７６（例えば、ねじ、ボルト等）によって、上部側５６０（図１２参照）に実装され得る。
【００６４】
電気要素４０４は、水が内部ハウジング４６６（図５〜１０参照）及び／またはエンクロージャ５５４（図９〜１１及び１２参照）の内側で凝縮されることを防止するように構成された、１つ以上の発熱要素Ｒ１〜Ｒ５を含む。例示した実施形態では、発熱要素Ｒ１〜Ｒ５は、基板５５０上に実装された抵抗器として実装されている。発熱要素Ｒ１〜Ｒ４は、エンクロージャ５５４（図９〜１１及び１２参照）の外側の基板５５０上に実装され、発熱要素Ｒ５は、ガスケット５７０の近くで、エンクロージャ５５４の内側の基板５５０上に実装される。
【００６５】
電気要素４０４は、基板５５０上に実装され、長期間、及び／または処理中一次的にデータを記憶するように構成されたメモリ５８０（図１４参照）を含む。例示した実施形態では、メモリ５８０（図１４参照）は、メモリ５８０Ａ及び５８０Ｂを含む。メモリ５８０Ａは、多数の異なるタイプのメモリ（例えば、ランダムアクセスメモリ、揮発性メモリ、不揮発性メモリ等）を含み得る。メモリ５８０Ａは、リムーバブル及び／または非リムーバブルタイプのメモリを含み得る。非限定な例示を目的として、メモリ５８０Ｂは、セキュアデジタル（「ＳＤ」）カード及びリムーバブルＳＤカードリーダとして少なくとも部分的に組み込まれてもよい。ＳＤカードは、所望のように取り外され、及び／または置き換えられてもよい。
【００６６】
電気要素４０４は、データを受信し、データを処理し、データをメモリ５８０内に記憶するように構成されたプロセッサ５８２を含む。
【００６７】
電気要素４０４は、プロセッサ５８２に接続されたセルラーモデム５８１を含む。非限定な例示を目的として、セルラーモデム５８１は、セルラー接続マイクロコントローラ、例えばＰａｒｔｉｃｌｅ  ｏｆ  Ｓａｎ  Ｆｒａｎｃｉｓｃｏ，Ｃａｌｉｆｏｒｎｉａ（ｗｗｗ．ｐａｒｔｉｃｌｅ．ｉｏ／にてウェブサイトを運営）によって販売されているＥｌｅｃｔｒｏｎ  ３Ｇまたは２Ｇとして組み込まれ得る。プロセッサ５８２は、セルラー無線周波数（「ＲＦ」）信号を生成するようセルラーモデム５８１に命令するように構成されている。セルラーモデム５８１は、無線ネットワークインターフェース５８４に（例えば、ワイヤ５８６を介して）接続され得る。無線ネットワークインターフェース５８４は、コネクタ、例えば同軸ジャック（例えば、Ａｍｐｈｅｎｏｌによって型番１３２４２２で販売されている超小型バージョンＡ（「ＳＭＡ」）コネクタジャック）として組み込まれてもよい。
【００６８】
図１４を参照すると、無線ネットワークインターフェース５８４は、アパーチャ５０６（図８参照）に実装され得、外部アンテナ５８５に（例えば、ワイヤ５８３を介して）接続されるよう構成され得る。無線ネットワークインターフェース５８４は、セルラーモデム５８１（ワイヤ５８６を介して）からのセルラーＲＦ信号を受信し、内部（例えば、ＰＣＢ搭載型）アンテナ（図示せず）または外部アンテナ５８５を介してセルラーＲＦ信号を放送するように構成され得る。例えば、内部アンテナは、セルラーモデム５８１内部に、または基板５５０（図９〜１１及び１３参照）上に実装され得る。セルラーＲＦ信号は、１つ以上の外部装置またはシステム（例えば、外部システム５８７として図示される）に送信され得る。非限定的な例を目的として、外部システム５８７は、コンピューティングシステム、マンホールイベント抑止システム（例えば、マンホールイベント抑止システム１００と同様）等として組み込まれ得る。また、アンテナ５８５は、外部装置またはシステム（例えば、外部システム５８７）からのセルラーＲＦ信号を受信し、受信ＲＦ信号を、無線ネットワークインターフェース５８４及びワイヤ５８６を介してプロセッサ５８２に提供し得る。
【００６９】
当業者に自明であるように、アンテナ５８５は、無線データリンク「Ｃ１」を介して、少なくとも１つのネットワーク５９０（例えば、インターネットに接続された無線ネットワーク）とＲＦ信号を送受信する。アンテナ５８５は、ボールト１２の内側または外側に、かつ表面３０に、またはその上方に位置付けられ、ネットワーク５９０との良好な接続を保証することを助け得る。例示した実施形態では、アンテナ５８５は、マンホール蓋１３０の直下に位置付けられる。しかしながら、これは、要件ではない。ネットワーク５９０は、ローカルエリアネットワーク２２０（図２参照）、広域ネットワーク２４０（図２参照）、従来のローカルエリアネットワーク、従来の広域ネットワーク、無線ネットワーク、インターネット、単純旧式電話サービス（「ＰＯＴＳ」）等のうちの少なくとも１つを含み得る。
【００７０】
上記で述べたように、アンテナ５８５は、データロガー４００とネットワーク５９０との間の通信を提供するように構成されているネットワーク５９０は、マンホールイベント抑止システムのローカルエリアネットワーク２２０及び／または広域ネットワーク（例えば、各々がシステム１００と同様）を含んでもよい。この機構は、各マンホールイベント抑止システムが、近接または隣接するマンホールイベント抑止システムからの測定を受信し、ローカルなマンホールイベント抑止システムの動作を、その性能を改善（例えば、最適化）させるように調整することを可能にする。このように、データロガー４００は、ネットワーク５９０から情報及び／またはコマンドを受信し、受信された情報及び／またはコマンドに基づいて、マンホールイベント抑止システム１００を動作させるように構成され得る。また、この機構は、データロガー４００がデータロガー４００に近くの、及び／またはデータロガー４００から離間した多数のシステムを制御することを可能にする。
【００７１】
任意追加的に、データロガー４００は、無線ネットワークインターフェース５８４（または、無線ネットワークインターフェース）に代えて、またはそれに加えて、有線ネットワークインターフェース５９３によって、ネットワーク５９０に接続されてもよい。有線ネットワークインターフェース５９３は、アパーチャ５０２（図８参照）に実装され得る。例示した実施形態では、有線ネットワークインターフェース５９３は、１つ以上のケーブル５９５及び／または当業者には既知の他のネットワーキング要素によって、ネットワーク５９０に接続される。非限定的な例を目的として、有線ネットワークインターフェース５９３は、ユニバーサルシリアルバス（「ＵＳＢ」）接続として組み込まれてもよい。
【００７２】
メモリ５８０は、近傍のボールト（ボールト１２と同様）を特定するマップまたは同様の情報を記憶し得る。このように、プロセッサ５８２は、この情報を使用して、近傍のボールトを監視し、何らかの活動がそのようなボールトに関して生じているかを判定し得る。該情報は、プロセッサ５８２が近傍のボールトを特定するために使用し得るボールトに対する位置情報を含んでもよい。
【００７３】
プロセッサ５８２は、マンホールイベント抑止システム１００の空気移動装置９４（図１参照）を制御するように構成され得るシステムインターフェース５９６に（例えば、ワイヤ５７７を介して）接続されてもよい。システムインターフェース５９６は、１つ以上のケーブル５８９を介して、空気移動装置９４（図１参照）に接続され得る。例示した実施形態では、システムインターフェース５９６は、アパーチャ５０４（図８参照）に実装された拡張ポート６００（図１１参照）として実装されている。図１１を参照すると、拡張ポート６００は、Ｓｗｉｔｃｈｃｒａｆｔ，Ｉｎｃ．より型番１４３８０−１０ＳＧ−３００で販売されている１０  ＰＯＳ  Ｃｉｒｃｕｌａｒ  Ｃｏｎｎｅｃｔｏｒとして組み込まれ得る。拡張ポート６００がシステムインターフェース５９６（図１４参照）として機能しない実施形態では、拡張ポート６００は、１つ以上の付加的なセンサに対するインターフェースとして使用され得る。
【００７４】
データロガー４００は、マンホールイベント抑止システム１００を制御するように構成され得る。例えば、データロガー４００は、システム１００（例えば、図１に描画された空気移動装置９４）をオンオフするように構成され得る。データロガー４００は、センサ（複数可）４０２（図１３及び１５参照）によって測定されたデータに基づいて、条件を満たすようにシステム１００の性能を調整するように構成され得る。データロガー４００は、システム１００に、予めプログラムされたタイムルーチンを実行するように命令するように構成され得る。別の非限定な例示を目的として、データロガー４００は、無線及び／または有線ネットワークインターフェース５８４及び５９３からの１つ以上の外部トリガまたはコマンドを受信し、それらのコマンドに基づいてシステム１００に命令してもよい。
【００７５】
外部システム５８７は、集中型データ記憶、データ解析、自動化限界警報、及び／または通知を提供するように構成された集中型コンピューティングシステム（図示せず）を含んでもよい。広域ネットワーク２４０によって収集されたデータを使用して、限界を超えるデータを特定し、起こり得るかまたは差し迫った問題を示す警報（またはフラグ）を発し、及び／または調査作業を開始し、破局的な故障を防止し得る。外部システム５８７によって収集されたデータを記憶及び解析して、マンホールイベントの理解を深めてもよい。例えば、データを使用して、マンホールイベントに至るトリガ及びマンホールイベントの前兆を特定し得る。さらに、データを使用して、システム１００の性能、及び外部システム５８７に（例えば、ネットワーク５９０を介して）接続された他のシステムを最適化するための方法を判定し得る。特別な命令を外部システム５８７に通信して戻し、外部システム５８７に接続されたマンホールイベント抑止システムの性能を最適化し、及び／またはその挙動を変化させることができる。
【００７６】
プロセッサ５８２によって送信されたセルラーＲＦ信号は、電子メール、通話、テキストメッセージ等を含み得る。セルラーＲＦ信号は、人間のシステムオペレータ５９７によって操作された外部システム５８７及び／またはコンピューティングデバイス５９１（例えば、セルラーフォン、ラップトップコンピューティングデバイス、デスクトップコンピュータ等）に、（例えば、ネットワーク５９０を介して）送信され得る。コンピューティングデバイス５９１は、有線または無線データリンク「Ｃ２」によって、ネットワーク５９０に接続され得る。
【００７７】
外部システム５８７は、１つ以上のコンピューティングデバイスとして実装されたコントローラ、クラウドコンピューティングシステム等で実行している仮想マシン等であってもよい。データロガー４００によって収集されたデータは、ネットワーク５９０及び／またはメモリ５８０のリムーバブルメモリ要素（例えば、リムーバブルＳＤカード）を介して、外部システム５８７に送信され得る。収集されたデータは、データベースに（例えば、クラウドコンピューティングシステムに）記憶され得る。
【００７８】
上記で述べたように、データロガー４００は、外部装置、例えば電気システム機器と通信し、それらを制御するように構成され得る。そのような実施形態では、プロセッサ５８２は、システムインターフェース５９６、無線ネットワークインターフェース５８４、及び／または有線ネットワークインターフェース５９３を介して、１つ以上の外部装置に命令を送信し得る。
【００７９】
プロセッサ５８２は、クロック２０６（図２参照）に実質的に類似しているクロック５９２を含むか、またはそれに接続され得る。クロック５９２は、プロセッサ５８２によって、データにタイムスタンプするために使用され得る。任意追加的に、クロック５９２は、データロガー４００が「スリープモード」から「データ収集モード」に遷移させるアラームとして機能し得る。代替的に、プロセッサ５８２は、センサ（複数可）４０２のうちの１つ以上（図１３及び１５参照）から受信された（例えば、監視信号における）情報を使用して、データロガー４００（図４、５、及び１４）がスリープモードに入るべき時を判定してもよい。スリープモードは、データロガー４００の寿命をもたせることを助ける。
【００８０】
図１３を参照すると、電気要素４０４は、センサ（複数可）４０２を含むかまたはそれに接続され得る。センサ（複数可）４０２は、センサアレイ３００（図２及び３参照）に含まれるセンサのいずれかを含み得る。任意追加的に、センサ（複数可）４０２が２つ以上の異なるセンサを含む場合、電気要素４０４は、ＭＵＸ２１０（図２参照）に実質的に類似し、センサ４０２からのデータを、プロセッサ５８２によって処理される単一のセンサ出力に統合させるように構成されたＭＵＸ５９４（図１４参照）を含み得る。
【００８１】
図１４を参照すると、さまざまな要素（例えば、メモリ５８０、クロック５９２、ＭＵＸ５９４等）が、バス５７８によってプロセッサ５８２に接続され得る。バス５７８は、多種多様なバスアーキテクチャのいずれかを使用して、メモリバスまたはメモリコントローラ、周辺バス、及びローカルバスを含むいくつものタイプのバス構造のいずれかであり得る。
【００８２】
電気要素４０４は、フロートスイッチ５７５（図１４参照）に接続されるように構成されたコネクタ６０２を含む。図１５を参照すると、水位センサ６５５は、データロガー４００の内側に位置付けられ、コネクタ６０２によってフロートスイッチ５７５に接続され得る。水位センサ６５５（図１５参照）から受信された情報は、プロセッサ５８２によって、ファン５７４（図９〜１１及び１３参照）をオフにするときを判定するために使用され得る。コネクタ６０２は、アパーチャ５０８（図８参照）に実装され得る。非限定的な例を目的として、データコネクタ６０２は、ＣＯＮＥＣ  ＵＳＡによって型番４２−０１０３２等で販売されているコネクタを使用して組み込まれてもよい。
【００８３】
電気要素４０４は、電気要素４０４に任意のＤＣ電力（例えば、１２Ｖ）を供給するように構成されたＤＣ電力コネクタ６０４を含む。例えば、ＤＣ電力は、開発中に研究室において有用であり得る。ＤＣ電力コネクタ６０４は、アパーチャ５１０（図８参照）に実装され得る。非限定的な例を目的として、データコネクタ６０４は、Ｓｗｉｔｃｈｃｒａｆｔ，Ｉｎｃ．によって型番５０２−ＲＡＰＣ１０ＰＳ等で販売されている直流電流（「ＤＣ」）電力コネクタを使用して組み込まれてもよい。
【００８４】
図１３を参照すると、電気要素４０４は、プロセッサ５８２とセンサ（複数可）４０２Ｂ（図１４参照）との間のインターフェースを提供するように構成されたＩ／Ｏ要素５８８を含むかまたはそれに接続され得る。図１１を参照すると、例示した実施形態では、Ｉ／Ｏ要素５８８は、データコネクタ６０６〜６１８を含む。非限定的な例を目的として、データコネクタ６０６〜６１８は、Ａｍｐｈｅｎｏｌ  Ｃｏｒｐｏｒａｔｉｏｎによって型番１２−０４ＰＭＭＰ−ＳＦ８００１等で販売されている円形コネクタを使用して組み込まれてもよい。データコネクタ６０６〜６１８は、アパーチャ５１２〜５２４（図８参照）にそれぞれ実装され得る。
【００８５】
図１４を参照すると、Ｉ／Ｏ要素５８８のデータコネクタ６０６〜６１８（図１１参照）は、１つ以上のケーブル６２０によってセンサ（複数可）４０２Ｂに接続され得る。非限定的な例を目的として、データコネクタ６０６は、ケーブル（図示せず）によって、圧力センサ６５６（図１５参照）に接続され得る。
【００８６】
非限定的な例を目的として、データコネクタ６０８、６１２、及び６１６は、ケーブル（図示せず）によって、質量空気流センサ（例えば、図１５に図示された気流センサ６５８、６５９、及び６６５）に接続され得る。非限定的な例を目的として、データコネクタ６１０、６１４、及び６１８は、ケーブル（図示せず）によって、温度センサ（例えば、図１５に図示されたケーブル温度センサ６６０）に接続され得る。
【００８７】
また、Ｉ／Ｏ要素５８８のデータコネクタ６０６〜６１８（図１１参照）は、プロセッサ５８２に接続される。図１４では、この接続は、Ｉ／Ｏ要素５８８をＭＵＸ５９４に接続する線６２２によって図示される。しかしながら、線６２２は、Ｉ／Ｏ要素５８８をバス５７８、メモリ５８０、またはプロセッサ５８２に選択的に直接接続し得る。図１４を参照すると、例示した実施形態では、データコネクタ６０６〜６１８は、基板５５０から上向きに延びるＰＣＢ６１９上に実装される。図１３を参照すると、ＰＣＢ６１９は、基板５５０上の対応するヘッダＨ２に（例えば、図示しないリボンケーブルによって）接続するように構成されたヘッダＨ１を含み得る。データコネクタ６０６〜６１８の各々は、導体（例えば、図示しないトレース）によってヘッダＨ１に接続される。ヘッダＨ２は、導体（例えば、図示しないトレース）によってプロセッサ５８２に接続される。このように、データコネクタ６０６〜６１８は、プロセッサ５８２に接続される。任意追加的に、図１４に例証されるように、ＭＵＸ５９４は、データコネクタ６０６〜６１８（図１１参照）とプロセッサ５８２との間に接続され得る。
【００８８】
図１４を参照すると、例示した実施形態では、センサ（複数可）４０２Ａは、基板５５０（図９〜１１及び１３参照）上に実装される。例えば、図１３を参照すると、センサ（複数可）４０２Ａ（図１４参照）は、エンクロージャ５４４（図９〜１２参照）によって画定された空気充填プレナム５５６（図１１及び１２参照）内部の基板５５０上に実装された１つ以上の気体センサを含み得る。
【００８９】
例示した実施形態では、センサ（複数可）４０２Ａ（図１４参照）は、基板５５０上に実装され、空気充填プレナム５５６（図１１及び１２参照）の内側に位置付けられた酸素（Ｏ２）センサ６３０、メタン（ＣＨ４）センサ６３２、湿度及び温度センサ６３４、一酸化炭素（ＣＯ）センサ６３６、及び二酸化炭素（ＣＯ２）センサ６３８を含む。酸素（Ｏ２）センサ６３０は、酸素センサ３１０（図３参照）と実質的に同一であり得る。一酸化炭素（ＣＯ）センサ６３６は、一酸化炭素センサ３１１（図３参照）と実質的に同一であり得る。二酸化炭素（ＣＯ２）センサ６３８は、二酸化炭素センサ３１２（図３参照）と実質的に同一であり得る。メタン（ＣＨ４）センサ６３２は、メタンセンサ３１４（図３参照）と実質的に同一であり得る。湿度及び温度センサ６３４は、湿度センサ３２４（図３参照）及びボールト温度センサ３２９（図３参照）と同じ機能性を提供するように構成され得る。
【００９０】
図１４では、線６４０は、センサ（複数可）４０２ＡとＭＵＸ５９４との間の接続を表す。しかしながら、線６４０は、センサ（複数可）４０２Ａをバス５７８、メモリ５８０、またはプロセッサ５８２に選択的に直接接続し得る。非限定な例として、センサ６３０〜６３８（図１３参照）の各々は、導体（例えば、図示しないトレース）によってＭＵＸ５９４、バス５７８、メモリ５８０、またはプロセッサ５８２に接続され得る。
【００９１】
図１４では、線６４２は、ファン５７４とプロセッサ５８２との間の通信接続を表す。プロセッサ５８２は、ファン５７４をオンオフして、プレナム５５６（図１１及び１２参照）の内側の空気を入れ替えるように構成されている。図１３を参照すると、プロセッサ５８２がファン５７４をオンオフすると、ファン５７４は、プレナム５５６（図１１及び１２参照）の内外に吹き出し得る。例えば、ファン５７４は、貫通孔５６６（図１２参照）を通って内部４８６（図９参照）からプレナム５５６（図１１及び１２参照）の中に新しい空気を吹き込み得る。この空気は、プレナム５５６（図１１及び１２参照）を通って、ガスケット２７０の貫通孔５７２の外に流れる。別の非限定的な例示を目的として、ファン５７４は、貫通孔５６６（図１２参照）を通って、空気をプレナム５５６（図１１及び１２参照）の外に吹き出し得る。そのような実施形態では、新しい空気は、ガスケット２７０の貫通孔５７２から、プレナム５５６（図１１及び１２参照）の中に吹き込まれる。プレナム５５６（図１１及び１２参照）の内側の空気が新しい空気と入れ替えられた後、プロセッサ５８２は、センサ６３０〜６３８からの読み取り値を受信する。
【００９２】
図１５を参照すると、外側ハウジング４１０の外側に位置付けられたセンサ（複数可）４０２Ｂは、以下のセンサのうちの１つ以上を含み得る。
・水素センサ３１３（図３参照）と実質的に同一であり得る水素センサ６４４。
・炭化水素センサ３１５（図３参照）と実質的に同一であり得る炭化水素センサ６４５。
・部分放電センサ３１６（図３参照）と実質的に同一であり得る部分放電センサ６４６。
・ＲＦ信号センサ３１７（図３参照）と実質的に同一であり得るＲＦ信号センサ６４７。
・超音波センサ３１８（図３参照）と実質的に同一であり得る超音波センサ６４８。
・システム電圧センサ３２０（図３参照）と実質的に同一であり得るシステム電圧センサ６４９。
・カメラ３２１（図３参照）と実質的に同一であり得るカメラ６５０。
・ＴＥＶセンサ３１９（図３参照）と実質的に同一であり得るＴＥＶセンサ６５１。
・ＩＲセンサ３２２（図３参照）と実質的に同一であり得るＩＲセンサ６５２。
・ＵＶセンサ３３６（図３参照）と実質的に同一であり得るＵＶセンサ６５３。
・光センサ３２３（図３参照）と実質的に同一であり得る光センサ６５４。
・水位センサ３２５（図３参照）と実質的に同一であり得る水位センサ６５５。
・圧力センサ３２８（図３参照）と実質的に同一であり得る圧力センサ６５６。
・振動センサ３３３（図３参照）と実質的に同一であり得る振動センサ６５７。
・抑止システム気流センサ３３２（図３参照）と実質的に同一であり得る抑止システム気流センサ６５８。
・ボールト／導管空気流センサ３３１（図３参照）と実質的に同一であり得るボールト／導管気流センサ６５９。
・ケーブル温度センサ３３０（図３参照）と実質的に同一であり得るケーブル温度センサ６６０。
・水導電度センサ３２７（図３参照）と実質的に同一であり得る水導電度センサ６６１。
・水塩度センサ３２６（図３参照）と実質的に同一であり得る水塩度センサ６６２。
・電流センサ３３５（図３参照）と実質的に同一であり得る電流センサ６６３。
・浮遊電圧センサ３３４（図３参照）と実質的に同一であり得る浮遊電圧センサ６６４。
・導管２０Ａを通る気流を判定するように構成されたダクト気流センサ６６５。ダクト気流センサ６６５は、ボールト／導管空気流センサ３３１に実質的に類似し得る（図３参照）。
・ボールト１２内のラドンのレベルを検出するように構成されたラドンセンサ６６６。例えば、ラドンセンサ６６６は、ボールト１２に包含されたラドンの濃度を（例えば、総パーセンテージ、ＲＯＣ等として）測定し得る。
・ボールト１２に包含された硫化水素の濃度を（例えば、総パーセンテージ、ＲＯＣ等として）測定するように構成された硫化水素センサ６６７。
・ボールト１２の内側の内部雰囲気１０４における粒子の濃度を測定するように構成された微粒子／不透明度センサ６６８。
・データロガー４００が位置する場所を判定するように構成された全地球測位システム（「ＧＰＳ」）６７０。
・マンホールイベントが生じたときを判定するように構成された加速度計６７１。
・マンホールイベントが生じたときを判定するように構成された動きセンサ６７２。
・磁界内の変化または変動を監視するように構成された磁界センサ６７３。
【００９３】
ＧＰＳ６７０は、データロガー４００が現在位置している場所を報告するために使用され得る。センサ６４４〜６７２のいずれかを、センサ（複数可）４０２Ｂのうちの１つ、またはセンサ（複数可）４０２Ａのうちの１つとして組み込み得る。
【００９４】
気体センサ６３０、６３２、６３６、６３８、６４４、６４５、６６６、及び６６７のうちの１つ以上を、非分散赤外線（「ＮＤＩＲ」）センサを使用して組み込み得る。）
【００９５】
図９を参照すると、導管６８０及び６８２は、内部ハウジング４６６から下向きに延在してもよい。非限定な例として、導管６８０及び６８２は、管セクション及び／または取付具（例えば、繊維ガラス、非ハロゲン化プラスチック、ポリ塩化ビニル（「ＰＶＣ」）、ステンレス鋼、アルミニウム合金等から構築される）から各々構築され得る。
【００９６】
図１０を参照すると、導管６８０は、アパーチャ５００（図８参照）を通過し、内部ハウジング４６６の内側に位置付けられた近位端６８４を有し、外側ハウジング４１０の内側に位置付けられた自由遠位端６８６を有する（図４及び５参照）。自由遠位端６８６は、フィルタ６８８を含み得る。導管６８０は、新鮮な空気が外側ハウジング４１０から内部ハウジング４６６の中に流入することを可能にする。新鮮な空気は、アパーチャ４３０及び４３２（図４参照）のうちの１つ以上を介して、外側ハウジング４１０に進入し得る。
【００９７】
導管６８２は、外側ハウジング４１０のアパーチャ４３２（図４参照）、内部ハウジング４６６のアパーチャ５２６（図８参照）、及びガスケット２７０（図１０〜１３参照）の貫通孔５７２（図１１〜１３参照）を通過する。このように、導管６８２は、エンクロージャ５５４の空気充填プレナム５５６（図１１及び１２参照）の内側に位置付けられた近位端６９４（図１０参照）を有する。
【００９８】
図４を参照すると、近位端６９４（図１０参照）に対向して、導管６８２は、外側ハウジング４１０の外側に位置付けられた自由遠位端６９６を有する。自由遠位端６９６は、ボールト１２（図１及び１４参照）の床５８（図１及び１４参照）に、またはその近くに位置付けられ得る。自由遠位端６９６は、フィルタ６９８（図４参照）を含み得る。図５を参照すると、導管６８２は、新鮮な空気が、ボールト１２（図１及び１４参照）からエンクロージャ５５４（図９〜１１及び１２参照）の中に流入し、外側ハウジング４１０の内部４２６を迂回することを可能にする。図４を参照すると、導管６８２及び／またはフィルタ６９８は、空気が床５８（図１及び１４参照）の、またはその近くの異なる位置から導管６８２に流入することを可能にする複数の貫通孔６９９を含み得る。
【００９９】
図１０を参照すると、プロセッサ５８２は、ファン５７４を周期的にオンにし得、このことは、プレナム５５６（図１１及び１２参照）の内側の空気を追い出し、ガスケット５７０の貫通孔５７２（図１１〜１３参照）を通って新しい空気をプレナム５５６の中に引き込む。導管６８２は、（図１及び１４に図示された床５８の、またはその近くの）ボールト１２の内側から、空気を（貫通孔５７２を介して）プレナム５５６に供給する。このように、ファン５７４は、ボールト１２（図１及び１４参照）の内側からプレナム５５６（図１１及び１２参照）の中に新しい空気を移動させ得る。
【０１００】
図１４を参照すると、プロセッサ５８２は、センサ（複数可）４０２（図１３及び１５参照）を使用して、ボールト１２の内側の状況に関するデータを収集する。プロセッサ５８２は、センサ（複数可）４０２に、データを常にまたは時々収集するように命令し得る。
【０１０１】
常時のデータ収集またはサンプリングは、１つ以上のリングバッファ及び／または積分器を使用して実装され得る。リングバッフを使用して、通常動作中に高解像度データを記憶するかまたは伝送することを必要とすることなく、構成的トリガ条件のいずれの側においても高時間分解能を有するデータを記憶及び／またはアップロードし得る。リングバッファは、既定のサイズを有し、常に高周波数（例えば１Ｈｚ）で稼働する。リングバッファに書き込まれた各々の新しい値は、リングバッファに記憶された最も古い値を上書きする。しかしながら、リングバッファに記憶された値は、トリガ条件が満たされるまで、（例えば、無線データリンク「Ｃ１」を経由して）伝送されないか、またはメモリ５８０（図１４参照）に書き込まれない。いったんこのトリガ条件が満たされると、リングバッファ全体が、トリガ条件が満たされた後、構成可能時間（例えば、１０分）にわたって高時間分解能データとともに書き込まれ、及び／または伝送され得る。異なるリングバッファを、センサ（複数可）４０２（図１３参照）のうちのいずれかとともに使用してもよく、トリガ条件は、センサ（複数可）４０２のうちのいずれかからの、フィルタリングされたかもしくはフィルタリングされていない出力、またはそれらの組み合わせに基づいてもよい。
【０１０２】
例えば、４つの１０分間リングバッファ（例えば、１Ｈｚで最大６００サンプルを記憶）を、４つの気体センサ６３０、６３２、６３６、及び６３８の各々に対して１つずつ使用してもよい。リングバッファの４つ全てに対するトリガ条件は、２０％を下回って低下した酸素（Ｏ２）濃度であってもよい。このように、酸素濃度（酸素センサ６３０によって測定される）が２０％を下回って低下すると、４つ全てのリングバッファに記憶されたデータ（過去１０分間からのデータを記憶）が、次の１０分間に対する１Ｈｚデータとともに（例えば、無線データリンク「Ｃ１」を経由して）アップロードされ、及び／またはメモリ５８０に記憶され得る。
【０１０３】
積分器または積分バッファは、高時間分解能データが伝送され、記憶され、処理されることを必要とすることなく、センサノイズを低減させるために使用され得る。データは、センサ（複数可）４０２のうちの１つ以上のサンプル収集率よりも遅いい転送率で（例えば、無線データリンク「Ｃ１」を経由して、及び／またはメモリ５８０に対して）伝送され得る。積分バッファは、センサ（複数可）４０２のうちの１つからのサンプル収集率で受信されたサンプルを記憶するように構成され得る。積分バッファは、センサから取得されたタイムスタンプされたセンサ読み取り値（またはサンプル）で充填され得る。積分バッファが充填されると、その内容が数値積分され、積分バッファの時間長さで除算されて、結果を得る。該結果は、転送率で転送される（例えば、無線データリンク「Ｃ１」を経由してアップロードされ、及び／またはメモリ５８０に記憶される）。そして、積分バッファがクリアされ、本プロセスが繰り返される。
【０１０４】
例えば、９００サンプルを記憶するように構成された積分バッファが使用され、二酸化炭素（ＣＯ２）センサ６３８のサンプル収集率が１Ｈｚ（または、１サンプル／秒）である場合、二酸化炭素（ＣＯ２）センサ６３８によって収集された最大９００サンプルが、対応するタイムスタンプとともに積分バッファに記憶され得る。この例では、転送率は、１５分（または９００秒）ごとに１転送であり、これは、積分バッファを充填するために必要とされる時間量（１５分）に相当する。このように、１５分後ごとに、積分バッファの内容に対して数値積分が行われ、９００秒で除算されて、結果を得る。該結果は、積分バッファがクリアされ、該プロセスが繰り返される前に伝送される（例えば、無線データリンク「Ｃ１」を経由してアップロードされ、及び／またはメモリ５８０に記憶される）。
【０１０５】
不定期のデータ収集またはサンプリングは、周期的に（例えば、１５分ごとに）タイマ（例えば、クロック５９２）に基づいて行われ得る。別の例示を目的として、連続的サンプル収集間の時間は、収集されたデータ、受信された通信（例えば、アンテナ５８５を介して外部システム５８７から）等に基づいて調整され得る。別の例示を目的として、収集されたデータが、特定の状況（例えば、マンホールイベントを示す）がボールト１２の内側で起こっているかもしれないことを示す場合、サンプルがより高頻度で（例えば、毎秒）収集されている所定の期間（例えば、１時間）のローリングウィンドウがトリガされ得る。
【０１０６】
センサ（複数可）４０２（図１３及び１５参照）のうちの１つ以上が、所定の状況がボールト１２の内側に存在することを検出すると必ず、データロガー４００は、特定のアクションを起こすように構成され得る。例えば、メモリ５８０は、センサ（複数可）４０２の各々に対して１つ以上のしきいレベル値を記憶し得る。プロセッサ５８２は、センサ（複数可）４０２のうちの特定の１つによって収集されたデータが特定のしきいレベル値を超えるかまたは下回る場合は必ず、警告をトリガし（例えば、通信を送信し）得る。プロセッサ５８２は、いずれの状況が特定されたかに依存して、異なるタイプの警告をトリガするように構成され得る。非限定的な例を目的として、メモリ５８０は、センサ（複数可）４０２の各々に対して１つ以上のしきいレベル値の変更率を記憶し得る。このように、プロセッサ５８２は、センサ（複数可）４０２のうちの特定の１つによって収集されたデータの変更率が特定のセンサに関連付けられたしきい値変更率を超える場合は必ず、警告をトリガし（例えば、通信を送信し）得る。
【０１０７】
別の例示を目的として、センサ（複数可）４０２のうちの特定の１つによって収集されたデータが特定のしきいレベル値を超えるかまたは下回る場合は必ず、プロセッサ５８２は、サンプルが収集される頻度を増大させ得る。センサ（複数可）４０２Ａを使用してサンプルを収集した場合、プロセッサ５８２は、サンプルが収集される前にファン５７４をトリガする。
【０１０８】
しきい値は、機械学習技法を使用して判定され、及び／または調整されてもよい。例えば、機械学習を使用して、通常の状況と非標準の（または危険な）状況とを区別するしきい値を確立し得る。言い換えれば、機械学習は、ボールト１２に対するベースラインを判定するために使用され得、また各ボールドに対してユニークなしきい値を適応させるために使用されることができる。
【０１０９】
プロセッサ５８２は、要因または条件の組み合わせが満たされた場合（例えば、ＴＥＶ及びＣＯの両方が、ＴＥＶ及びＣＯに対して確立されたしきい値を超える）は必ず、警告をトリガし（例えば、通信を送信し）得る。
【０１１０】
プロセッサ５８２は、センサ（複数可）４０２のうちの１つによって収集されたデータがセンサに関連付けられたしきい値を超えるかまたは下回る場合は必ず、センサ（複数可）４０２のうちの１つ以上を起動し、及び／または停止するように構成され得る。例えば、動きセンサ６７２によって検出された動きがしきい値を超えた場合は必ず、カメラ６５０が起動され得る。同様に、加速度計６７１によって検出された動きがしきい値を超えた場合は必ず、ＧＰＳ６７０が起動され得る。水位６５５はボールト１２（図１及び１４参照）の内側の水位がしきい値を上回ることを検出すると、気体センサ６３０、６３２、６３６、６３８、６４４、６４５、６６６、及び６６７のうちの１つ以上が停止され得る。ＴＥＶセンサ６５１がしきい値を超えるＴＥＶ値を検出すると、ＵＶセンサ６５３が起動され得る。
【０１１１】
図１３を参照すると、電気要素４０４は、データロガー４００の電気要素４０４を稼働させるために要する電力を提供するように構成された電力ユニット７００を含み、プロセッサ５８２、センサ（複数可）４０２、ファン５７４、システムインターフェース５９６等を含む。図１４に例示した実施形態では、電力ユニット７００は、バス５７８に接続され、バス５７８を介して電気要素４０４（図１３参照）に電力を提供する。電力ユニット７００は、供給電圧（例えば、図１に図示された導体１１２）、バッテリ、寄生電源、または外部電源からの電力を受信し得る。例示した実施形態では、電力ユニット７００は、電力ケーブル４９４から電力を受信する。非限定な例として、ケーブル４９４は、データロガー４００が動作のために設置されると、１２０Ｖ  ＡＣを電力ユニット７００に供給し得る。代替的に、ケーブル４９４は、データロガー４００が動作のために設置されると、２４０Ｖ  ＡＣまたは他の低供給電圧（例えば、最大６００Ｖ  ＡＣ）を電力ユニット７００に供給し得る。電力ケーブル４９４は、電力インターフェース７０２（例えば、端子ブロック）において終端し得るワイヤ（図示せず）を含む。図１４では、線７０４は、電力インターフェース７０２を電力ユニット７００に接続する導体（例えば、トレース）を表す。
【０１１２】
電力ケーブル４９４は、ボールト１２の内側に位置付けられた外部電源７０６（例えば、図１に図示された壁コンセント、ケーブル１１０等）に接続される。図４を参照すると、電力ケーブル４９４は、電力ケーブル４９４を外部電源７０６と接続するように構成されたコネクタ７０７（例えば、プラグ）を含み得る。例示した実施形態では、コネクタ７０７は、従来のプラグとして組み込まれ、外部電源７０６は、従来の壁コンセントとして組み込まれ、コネクタ７０７は、外部電源７０６に差し込まれるように構成されている。代替の実施形態では、電力ケーブル４９４は、外部電源７０６に対してハードワイヤードであってもよい。付加的な代替の実施形態では、外部電源７０６は、ケーブル１１０（図１参照）であってもよい。そのような実施形態では、コネクタ７０７は、ケーブル１１０（図１参照）の導体１１２（図１参照）に接続されるように構成されたスリーブ（図示せず）またはスプライス（図示せず）として組み込まれ得る。別の非限定的な例示を目的として、コネクタ７０７は、ケーブル１１０（図１参照）と並んで位置付けられ、ケーブル１１０から電力を電磁誘導的に受信するように構成された導電コイルとして組み込まれ得る。
【０１１３】
任意追加的に、電気要素４０４は、バッテリ（図示せず）を受け入れるように構成されたバッテリホルダ７０８を含み得る。そのような実施形態では、バッテリホルダ７０８は、基板５５０上に実装され得、導体（例えば、図示しないトレース）によって電力ユニット７００に接続され得る。電力ユニット７００は、バッテリホルダ７０８及び導体（図示せず）を介して、バッテリ（図示せず）から電力を受信し得る。バッテリホルダ７０８及びバッテリ（図示せず）は、ともにリアルタイムクロックへの電力を提供し得るか、またはデータロガー４００へのバックアップ電源となり得る。
【０１１４】
図４を参照すると、データロガー４００は、腐食性環境の内側（例えば、図１及び１４に図示されたボールト１２の内側）の状況の長期間（例えば、少なくとも１５年）の管理不要な監視を提供するように構成されている。例えば、ハウジング組立体４０８及びハウジング組立体４０８'（図１６及び１７参照）の両方が、水中に浸漬可能であり、ハウジング組立体が浸漬されたときにその内部の電気要素４０４（図９〜１１及び１３参照）が水に曝されることから保護するように構成されている。図１１を参照すると、エンクロージャ５５４は、腐食性空気及び／またはガスからのさらなる保護を提供する（例えば、図１及び１４に図示されたボールト１２の内側）。ファン５７４は、内部雰囲気１０４の試料（図１参照）を、センサ（複数可）４０２Ａ（図１４及び１５参照）によってエンクロージャ５５４内に引き込む。このように、図１４を参照すると、センサ（複数可）４０２Ａは、短期間のみにわたってあらゆる腐食性空気及び／またはガスに曝される。加えて、電気要素４０４のうちの少なくともいくつかが、使用間で電源を落とされるように構成されている。
【０１１５】
データロガー４００がファン５７４を含むとして上述されてきたものの、データロガー４００は、代替的に、他のタイプの空気移動装置を含んでもよい。例えば、ファン５７４の代わりにその代用で、ポンプが使用されてもよい。
【０１１６】
上記の実施形態は、異なる他のコンポーネント内に収容された、または異なる他のコンポーネントに接続された、異なるコンポーネントを描いている。このような描かれているアーキテクチャは単なる例示であり、実際は、同じ機能を達成する多数の他のアーキテクチャが実装され得ることが理解されるべきである。概念的な意味では、同じ機能を達成するためのコンポーネントのいかなる配置も、所望の機能が達成されるように事実上「関連付けられて」いる。ゆえに、特定の機能を達成するために本明細書において組み合わせられた全ての２つのコンポーネントは、アーキテクチャまたは中間コンポーネントにかかわらず、所望の機能が達成されるように互いに「関連付けられている」とみなすことができる。同様に、そのように関連付けられている全ての２つのコンポーネントは、所望の機能を達成するために互いに「動作可能に接続されている（ｏｐｅｒａｂｌｙ  ｃｏｎｎｅｃｔｅｄ）」または「動作可能に連結されている（ｏｐｅｒａｂｌｙ  ｃｏｕｐｌｅｄ）」とみなすこともできる。
【０１１７】
本発明の特定の実施形態を示し、説明してきたものの、本明細書中の教示に基づき本発明及びその広範な態様から逸脱することなしに変更及び改変がなされ得ること、ならびに、したがって添付の特許請求の範囲は本発明の主旨及び範囲内に属する全てのそのような変更及び改変をその範囲内に包含することが、当業者には自明であるであろう。さらに、本発明は添付の特許請求の範囲のみにより定義されることが理解されるべきである。一般的に、本明細書及びとりわけ添付の特許請求の範囲（例えば、添付の特許請求の範囲の本文）において使用されている用語は、概して「オープンな」用語として意図されていることが当業者により理解されるべきである（例えば、「を含む（ｉｎｃｌｕｄｉｎｇ）」という用語は、「を含むがそれには限定されない（ｉｎｃｌｕｄｉｎｇ  ｂｕｔ  ｎｏｔ  ｌｉｍｉｔｅｄ  ｔｏ）」として解釈されるべきであり、「を有する（ｈａｖｉｎｇ）」という用語は、「を少なくとも有する（ｈａｖｉｎｇ  ａｔ  ｌｅａｓｔ）」として解釈されるべきであり、「を含む（ｉｎｃｌｕｄｅｓ）」という用語は、「を含むがそれには限定されない（ｉｎｃｌｕｄｅｓ  ｂｕｔ  ｉｓ  ｎｏｔ  ｌｉｍｉｔｅｄ  ｔｏ）」として解釈されるべきである等）。さらに、導入する特許請求項列挙項目について特定の数が意図される場合、そのような意図は特許請求の範囲内に明示的に記載されることになり、そのような記載がなければそのような意図は存在しないことが当業者により理解されるべきである。例えば、理解の助けとして、以下の添付の特許請求の範囲は、特許請求項列挙項目を導入するための「少なくとも１つ（ａｔ  ｌｅａｓｔ  ｏｎｅ）」及び「１つまたは複数（ｏｎｅ  ｏｒ  ｍｏｒｅ）」という導入文言の使用を含んでいる場合がある。しかしながら、そのような文言の使用は、同じ特許請求の範囲が「１つまたは複数（ｏｎｅ  ｏｒ  ｍｏｒｅ）」または「少なくとも１つ（ａｔ  ｌｅａｓｔ  ｏｎｅ）」という導入文言ならびに「ａ」または「ａｎ」等の不定冠詞を含むときでさえ、不定冠詞「ａ」または「ａｎ」による特許請求項列挙項目の導入は、そのように導入される特許請求項列挙項目を含むいかなる特定の特許請求の範囲を、そのような列挙項目を１つだけ含む発明に限定することを含意すると解釈されるべきではない（例えば、「ａ」及び／または「ａｎ」は、典型的に「少なくとも１つ（ａｔ  ｌｅａｓｔ  ｏｎｅ）」または「１つまたは複数（ｏｎｅ  ｏｒ  ｍｏｒｅ）」を意味すると解釈されるべきである）。同じことは、特許請求項列挙項目を導入するために使用される定冠詞の使用にも当てはまる。加えるに、たとえ導入する特許請求項列挙項目について特定の数が明示的に記載されていても、そのような記載は典型的に少なくともその記載されている数を意味すると解釈されるべきであることを当業者は認識するであろう（例えば、「２つの列挙項目（ｔｗｏ  ｒｅｃｉｔａｔｉｏｎｓ）」という、他の修飾語句を含まない裸形の列挙は、典型的に少なくとも２つの列挙項目、または２つ以上の列挙項目を意味する）。
【０１１８】
それゆえに、本発明は、添付の特許請求の範囲による場合を除き、限定されない。
【図１】
2019518885.tif 000003
【図２】
2019518885.tif 000004
【図３】
2019518885.tif 000005
【図４】
2019518885.tif 000006
【図５】
2019518885.tif 000007
【図６】
2019518885.tif 000008
【図７】
2019518885.tif 000009
【図８】
2019518885.tif 000010
【図９】
2019518885.tif 000011
【図１０】
2019518885.tif 000012
【図１１】
2019518885.tif 000013
【図１２】
2019518885.tif 000014
【図１３】
2019518885.tif 000015
【図１４】
2019518885.tif 000016
【図１５】
2019518885.tif 000017
【図１６】
2019518885.tif 000018
【図１７】
2019518885.tif 000019
【国際調査報告】
2019518885.tif 000020
2019518885.tif 000021
2019518885.tif 000022